(57)【特許請求の範囲】
【請求項１】
環境（１００）内のＭＲＳＡバクテリアを不活性化するように構成される照明装置（１０４）であって、前記照明装置は、
光を提供するように構成される照明素子（２５６；６１２）を備え、
前記光の少なくとも第１の成分（７００）は、４００ｎｍと４２０ｎｍとの間の波長を有する光を含み、前記光の少なくとも第２の成分（７０４）は、４２０ｎｍより大きい波長を有する光を含み、
光の前記第１の成分は、前記照明装置の任意の最も外側の発光面上の任意の地点から１．５ｍにある前記環境内の遮断されていない地点から測定して０．０１ｍＷ／ｃｍ2の最小パワー密度を有し、
前記照明素子により提供される前記光は、前記照明素子（２５６；６１２）の単一の発光素子（６５６；６５７）から生成され、
前記照明素子により提供される前記光は、ＡＮＳＩ  Ｃ７８．３７７−２０１５色規格によって規定される黒体軌跡に対して、０．０３５Ｄｕｖ分上方と０．０３５Ｄｕｖ分下方との間の曲線上にある、１９７６ＣＩＥ色度図に基づくｕ’，ｖ’座標を有する白色光を含む、
照明装置（１０４）。
【請求項２】
前記最小パワー密度は、０．０５ｍＷ／ｃｍ2に等しい、請求項１記載の照明装置（１０４）。
【請求項３】
光分布の中心軸から２０度の放射パワーは、光分布の前記中心軸における放射パワーの５０％に等しく、２０度の前記放射パワーおよび前記中心軸における前記放射パワーは、前記照明装置（２５６；６１２）から等しい距離で測定される、請求項１または２記載の照明装置（１０４）。
【請求項４】
光分布の中心軸から３０度の放射パワーは、光分布の前記中心軸における放射パワーの５０％に等しく、３０度の前記放射パワーおよび前記中心軸における前記放射パワーは、前記照明素子（２５６；６１２）から等しい距離で測定される、請求項３記載の照明装置（１０４）。
【請求項５】
前記単一の発光素子（６５６）は、発光ダイオード（ＬＥＤ）（２５６；６５６）を備える、請求項１〜４のいずれか１項に記載の照明装置（１０４）。
【請求項６】
前記ＬＥＤ（２５６；６５６）のジャンクション温度を、前記ＬＥＤ（２５６；６５６）の最大動作温度未満に維持する手段をさらに含む、請求項５記載の照明装置（１０４）。
【請求項７】
前記照明素子（２５６；６１２）により放射される前記光は、前記照明装置の直下域の周囲において、前記照明装置から下方向に６０度に角度付けられる円錐体の上方となる光束を有し、前記光束が、前記照明素子により放射される前記光の全光束の１５％、２０％、２５％、または３０％よりも大きい、請求項１〜６のいずれか１項に記載の照明装置（１０４）。
【請求項８】
４００ｎｍと４２０ｎｍとの間の波長を有する光を放射するように構成される、少なくとも１つの追加の照明素子（６５６）をさらに備える請求項１〜７のいずれか１項に記載の照明装置（１０４）。
【請求項９】
前記照明装置のユーザから、または、前記照明装置から遠隔に位置する中央制御装置（７６）から受信する制御信号に応じて、前記照明素子（２５６；６１２）を制御するように構成される制御装置（１２０；６１８）をさらに備える、請求項１〜８のいずれか１項に記載の照明装置（１０４）。
【請求項１０】
前記照明素子は、発光ダイオード（ＬＥＤ）（２５６；６５６）と、前記ＬＥＤを被覆する、または、前記ＬＥＤに近接して配置される、蛍光体要素（６５７）とを備え、前記蛍光体要素は、前記照明素子（２５６；６１２）により放射される前記光の前記第２の成分（７０４）を生成するように構成される、請求項１〜９のいずれか１つの記載の照明装置（１０４）。
【請求項１１】
前記光の前記第１の成分（７００）は、４００ｎｍと４２０ｎｍとの間の前記波長を有する、少なくとも４ワットの光を含む、請求項１〜１０のいずれか１項に記載の照明装置（１０４）。
【請求項１２】
環境（１００）内のＭＲＳＡバクテリアを不活性化するように構成される照明装置（１０４）であって、前記照明装置は、
光を提供するように構成された単一の発光素子（６５６；６５７）
を備え、
前記単一の発光素子は、
４００ｎｍと４２０ｎｍとの間の波長を有する光を放射するように構成される発光ダイオード（２５６；６５６）と、
前記発光ダイオードに対して配置された光変換素子（６５７）と、
を備え、
前記光変換素子は、前記発光ダイオードにより放射される前記光の少なくとも第１の成分（７００）が、変調することなく、前記光変換素子を通過して進み、前記発光ダイオードより放射される前記光の少なくとも第２の成分（７０４）が、４２０ｎｍより大きい波長を有する光に変換されるように配置され、
前記光の前記第１の成分は、前記照明装置の任意の最も外側の発光面上の任意の地点から１．５ｍにある前記環境内の遮断されていない地点から測定して０．０１ｍＷ／ｃｍ2の最小パワー密度を有する、
照明装置（１０４）。
【請求項１３】
前記最小パワー密度は、０．０５ｍＷ／ｃｍ2に等しい、請求項１２記載の照明装置（１０４）。
【請求項１４】
光分布の中心軸から２０度の放射パワーは、光分布の前記中心軸における放射パワーの５０％に等しく、２０度の前記放射パワーおよび前記中心軸における前記放射パワーは、前記発光素子（２５６；６５６）から等しい距離で測定される、請求項１２または１３記載の照明装置（１０４）。
【請求項１５】
前記発光素子（２５６；６５６）により放射される前記光は、前記照明装置の直下域の周囲において、前記照明装置から下方向に６０度に角度付けられる円錐体の上方となる光束を有し、前記光束が、前記単一の発光素子により放射される前記光の全光束の１５％、２０％、２５％、または３０％よりも大きい、請求項１２〜１４のいずれか１項に記載の照明装置（１０４）。
【請求項１６】
前記発光ダイオード（２５６；６５６）のジャンクション温度を、前記発光ダイオード（２５６；６５６）の最大動作温度未満に維持する手段をさらに含む、請求項１２〜１５のいずれか１項に記載の照明装置（１０４）。
【請求項１７】
４００ｎｍと４２０ｎｍとの間の波長を有する光を放射するように構成される、少なくとも１つの追加の発光素子（２５６；６５６）をさらに備える請求項１２〜１６のいずれか１項に記載の照明装置（１０４）。
【請求項１８】
前記照明装置のユーザから、または、前記照明装置から遠隔に位置する中央制御装置（７６）から受信する制御信号に応じて、前記単一の発光素子（２５６；６５６）を制御するように構成される制御装置（１２０；６１８）をさらに備える、請求項１２〜１７のいずれか１項に記載の照明装置（１０４）。
【請求項１９】
前記光変換素子（６５７）は、前記発光ダイオードを覆っている、請求項１２〜１８のいずれか１項に記載の照明装置（１０４）。
【請求項２０】
前記光変換素子（６５７）は、前記発光ダイオードから遠隔にある、請求項１２〜１８のいずれか１項に記載の照明装置（１０４）。
【請求項２１】
前記光変換素子（６５７）は、蛍光体コーティング（６５７）を含む、請求項１２〜２０のいずれか１項に記載の照明装置（１０４）。
【請求項２２】
前記光の前記第１の成分（７００）は、４００ｎｍと４２０ｎｍとの間の前記波長を有する、少なくとも４ワットの光を含む、請求項１２〜２１のいずれか１項に記載の照明装置（１０４）。
【請求項２３】
環境（１００）内のＭＲＳＡバクテリアを不活性化する方法であり、前記方法は、
前記環境に設置される照明装置（１０４）の照明素子（２５６；６１２）から光を提供することを含み、前記照明素子により提供される前記光は、単一の発光素子（６５６；６５７）から生成され、前記光の少なくとも第１の成分（７００）が、４００ｎｍと４２０ｎｍとの間の波長を有し、前記照明装置の任意の最も外側の発光面上の任意の地点から１．５ｍにある前記環境内の遮断されていない地点から測定して０．０１ｍＷ／ｃｍ2の最小パワー密度を有し、
前記光の少なくとも第２の成分（７０４）が、４２０ｎｍよりも大きい波長を有し、
前記照明素子により提供される前記光は、ＡＮＳＩ  Ｃ７８．３７７−２０１５色規格によって規定される黒体軌跡に対して、０．０３５Ｄｕｖ分上方と０．０３５Ｄｕｖ分下方との間の曲線上にある、１９７６ＣＩＥ色度図に基づくｕ’，ｖ’座標を有する白色光を含む、
方法。
【発明の詳細な説明】
【技術分野】
【０００１】
本開示は、概して、照明装置に関し、より詳細には、病原体を不活性化するための最小限のパワーを出力するシングルエミッタ照明装置に関する。
【背景技術】
【０００２】
ウイルス、細菌、および真菌のような病原体は、人間、動物、および植物を冒す、非常に危険で、かつ潜在的に致命的であるものを含む、多数の疾患または感染の原因となる。医療環境（たとえば、病院）や飲食店のような環境は、特にそのような病原体の伝染または拡散の影響を受けやすい。医療環境において、たとえば、人間同士の直接接触および皮膚が剥がれ落ちたものを通して伝染される、メヒリン耐性黄色ブドウ球菌（ＭＲＳＡ）、クロストリジウム・ディフィシル（Ｃ．ｄｉｆｆｉｃｉｌｅ）などの病原体によって引き起こされる医療関連感染（ＨＡＩｓ）は、医療産業において、ますます危険な問題となっている。疾病管理予防センターによれば、米国のみで、ＨＡＩｓは、毎年、急性治療病院において、少なくとも１７０万人の疾患と９９、０００人の死亡を引き起こしている。病原体は、また、食品（たとえば、果物、野菜など）を腐らせ、化学的処理、醸造および蒸留、食品包装、ならびに汚染されていない環境を必要とする他のプロセスのような様々な工業プロセスにおける製品および原材料の損失をもたらし得る。
【０００３】
これらの環境において病原体を予防およびコントロールするために、かなりの資源がすでに投じられているが、現時点では、これらの資源は所望の結果を生み出していない。たとえば衛生に関係する、いくつかの既存の病原体コントロールの方法は、労働集約的であり、監視するのが困難であり、そして最も重要なこととして、有効性が限られている（たとえば、一時的にのみ有効である、または一部の病原体のみを不活性化させる）ということが証明されている。他の既知の病原体コントロールの方法、たとえば、紫外光、オゾンおよび化学的な燻蒸に関係するものは効果的ではあるが、ヒトに対して有毒である。したがって、除染を必要とする環境は、封鎖されなければならず、処置中に使用することはできない。
【発明の概要】
【０００４】
本開示の一の態様は、環境内の危険な病原体（たとえば、ＭＲＳＡバクテリア）を不活性化するように構成される照明装置を提供する。照明装置は、光を提供するように構成される少なくとも１つの照明素子を含む。光の少なくとも第１の成分が、４００ｎｍと４２０ｎｍの間の波長を有する光を含み、光の少なくとも第２の成分が、４２０ｎｍより大きい波長を含む。光の第１の成分は、照明装置の任意の最も外側の発光面上の任意の地点から１．５ｍにある環境内の遮断されていない地点から測定して０．０５ｍＷ／ｃｍ2の最小積算放射照度（minimum integrated irradiance）を有する。
【０００５】
開示の別の態様は、環境内の危険な病原体（たとえば、ＭＲＳＡバクテリア）を不活性化するように構成される照明装置を提供する。照明装置は、４００ｎｍと４２０ｎｍの間の波長を有する光を放射するように構成される少なくとも１つの発光素子と、少なくとも１つの光変換素子と、を含む。少なくとも１つの発光素子により放射される光が、変調することなく、少なくとも１つの光変換素子を通過して移動し、少なくとも１つの発光素子より放射される光の少なくとも第２の成分が、４２０ｎｍより大きい波長を有する光に変換される。光の第１の成分は、照明装置の任意の最も外側の発光面上の任意の地点から１．５ｍにある環境内の遮断されていない地点から測定して０．０５ｍＷ／ｃｍ2の最小積算放射照度を有する。
【０００６】
開示の別の態様は、環境内の危険な病原体（たとえば、ＭＲＳＡバクテリア）を不活性化する方法を提供する。方法は、環境に設置される照明装置の少なくとも１つの照明素子から光を提供することを含む。光の少なくとも第１の成分が、４００ｎｍと４２０ｎｍの波長を有し、および照明装置の任意の最も外側の発光面上の任意の地点から１．５ｍにある環境内の遮断されていない地点から測定して０．０５ｍＷ／ｃｍ2の最小積算放射照度を有し、ならびに、光の少なくとも第２の成分が、４２０ｎｍよりも大きい波長を有する。
【０００７】
添付の図面において、同様の参照符号は、別個の図面を通して同一または機能的に類似した要素を指し、添付の図面は、以下の詳細な説明と共に、本明細書に組み込まれ、本明細書の一部を形成し、請求する実施形態を含む概念の実施形態をさらに図示し、これらの実施形態の様々な原理および利点の説明に役立つ。
【図面の簡単な説明】
【０００８】
【図１】本開示の教示に従って構築される、病原体の伝染の影響を受けやすい環境で使用される照明システムの概略図である。
【図２】本開示の教示に従って構成され、図１の環境の一部内の病原体を不活性化するように構成される照明装置を含む、図１の環境の一部の概略図である。
【図３Ａ】ＣＩＥ１９７６色度図を示す図である。
【図３Ｂ】照明装置が、視覚的に魅力的で不快でない白色光を提供し得るように図２の照明装置により出力され得る白色可視光の曲線の範囲を示す、図３Ａの図表の部分拡大図である。
【図４Ａ】図２の一典型例の照明装置の平面図である。
【図４Ｂ】図４Ａの照明装置の後方斜視図である。
【図４Ｃ】病原体を不活性化するように構成される第１の複数の発光素子を示す、図４Ａおよび図４Ｂの照明装置の底面図である。
【図４Ｄ】図４Ｃの照明装置の一部の部分拡大図である。
【図５Ａ】環境の受容構造内に設置される、図４Ａ〜図４Ｄの照明装置の斜視図である。
【図５Ｂ】図５Ａの断面図である。
【図６Ａ】病原体を不活性化するように構成される第２の複数の発光素子を示す、図２の照明装置の別の典型例の底面図である。
【図６Ｂ】図６Ａの照明装置の一部の部分的拡大図である。
【図７】図２の照明装置の別の典型例を示す図である。
【図８】図２の照明装置の別の典型例を示す図である。
【図９Ａ】図２の照明装置の別の典型例の斜視図である。
【図９Ｂ】図９Ａの照明装置の断面図である。
【図９Ｃ】病原体を不活性化する光を放射するように構成される、第１の複数の発光素子、および視覚的に魅力的な可視光を生成するために、第１の複数の発光素子によって放射される光と混合する光を放射するように構成される第２の複数の発光素子を示す、図９Ａの照明装置の別の断面図である。
【図９Ｄ】図９Ａの照明装置の様々な電子部品のブロック図である。
【図９Ｅ】環境が占有されている場合に、図９Ａの照明装置によって出力され得る、視覚に訴える白色可視光を示す図である。
【図９Ｆ】環境が使用されていない場合に、図９Ａの照明装置によって出力され得る、消毒光を示す図である。
【図１０Ａ】図２の照明装置の別の典型例の斜視図である。
【図１０Ｂ】図１０Ａと類似であるが、複数の発光素子を示すように照明装置のレンズが除去された図である。
【図１０Ｃ】図１０Ｂの上面図である。
【図１０Ｄ】図１０Ｂおよび１０Ｃの複数の照明素子のうちの１つの拡大図である。
【図１１Ａ】本開示の教示に従って構築される照明装置による放射パワーの分布の一例を示す図である。
【図１１Ｂ】水平からの頂角の関数として、本開示の教示に従って構築される照明装置からの光分布の一例のプロットを示す図である。
【図１１Ｃ】水平からの頂角の関数として、本開示の教示に従って構築される照明装置からの光分布の別の一例のプロットを示す図である。
【図１１Ｄ】水平からの頂角の関数として、本開示の教示に従って構築される照明装置からの光分布の別の一例のプロットを示す図である。
【図１１Ｅ】水平からの頂角の関数として、本開示の教示に従って構築される照明装置からの光分布の別の一例のプロットを示す図である。
【図１１Ｆ】図１１Ｂの光分布プロットのための、光束のチャートを示す図である。
【図１１Ｇ】図１１Ｃの光分布プロットのための、光束のチャートを示す図である。
【図１１Ｈ】図１１Ｄの光分布プロットのための、光束のチャートを示す図である。
【図１１Ｉ】図１１Ｅの光分布プロットのための、光束のチャートを示す図である。
【図１２】ある期間に亘って、危険な病原体を不活性化するのに十分な量の光を容積空間全体に提供する例示的な方法のフローチャートである。
【図１３】本開示の教示に従って構築される制御装置の典型例の概略図である。
【発明を実施するための形態】
【０００９】
図１は、照明を提供すること、ならびに上記の病原体の存在および拡散を減少する、理想的には除去することの両方が望まれる場所である、たとえば、病院、医師のオフィス、検査室、実験室、介護ホーム、ヘルスクラブ、小売店（たとえば、食料品店）、レストラン、その他の空間または建物、またはそれらの一部など、環境５４内において実施される、または環境５４内に含まれ得る照明システム５０を示す。
【００１０】
図１に示す照明システム５０は、概して、複数の照明装置５８、複数のブリッジ装置６２、サーバ６６、および１つまたは複数のネットワーク７４を介してサーバ６６に接続するように構成される１つまたは複数のクライアント装置７０を含む。もちろん、必要に応じて、照明システム５０は、より多いまたは少ない構成要素、および／または異なる構成要素を含み得る。たとえば、照明システム５０は、ブリッジ装置６２および／またはクライアント装置７０を必ずしも含む必要はない。
【００１１】
照明装置５８のそれぞれは、環境５４内または環境５４に設置され、電力供給時に、（ｉ）それぞれの照明装置５８に隣接する、またはその近傍にある、環境５４内の領域を照明する、および、以下に説明するように、（ｉｉ）照明される領域内の病原体を不活性化するのに十分な量の可視光を供給する、発光ダイオード（ＬＥＤ）、蛍光灯、白熱電球、レーザーダイオード、プラズマライトなどの、１つまたは複数の発光部材を含む。１つの例では、複数の照明装置５８は同様に構成されてもよい。別の例では、照明装置５８は、種類、形状、および／またはサイズが異なってもよい。一例として、照明システム５０は、本明細書で説明される、異なる照明装置の様々な組み合わせを用いてもよい。
【００１２】
ブリッジ装置６２は、少なくともこの例では、環境５４に位置し、照明装置５８のうちの１つまたは複数に（たとえば有線および／または無線接続を介して）通信可能に接続されている。図１に示す照明システム５０では、４つのブリッジ装置６２が、それぞれ３つの異なる照明装置５８に接続されて利用されている。他の例では、より多くのまたはより少ないブリッジ装置６２が、より多くのまたはより少ない照明装置５８に接続されてもよい。
【００１３】
サーバ６６は、たとえば、アプリケーションサーバ、データベースサーバ、ファイルサーバ、ｗｅｂサーバ、または他のサーバなどの、任意のタイプのサーバであってもよい。サーバ６６は、１つまたは複数のコンピュータを含んでもよく、および／または複数のサーバからなる、より大きなネットワークの一部であってもよい。サーバ６６は、ブリッジ装置６２に（たとえば、有線および／または無線接続を介して）通信可能に接続される。サーバ６６は、照明装置５８およびクライアント装置７０から遠く離れて（たとえば、「クラウド」内に）位置してもよく、クライアント装置７０と、ブリッジ装置６２と、照明装置５８との間で各種の通信および命令を容易にするように構成される、１つまたは複数のプロセッサ、制御装置モジュール（たとえば、中央制御装置７６）などを含んでもよい。そのようにして、サーバ６６は、照明装置５８の動作に対応する各種の照明設定を実施するために、命令または指示を生成し、照明装置５８に送信し得る。照明設定の各セットは、たとえば、スペクトル特性、動作モード（たとえば、検査モード、消毒モード、混合モード、夜間モード、昼間モードなど）、調光レベル、出力ワット数、強度、タイムアウトなどを含む、様々なパラメータや設定を含み、それにより、照明設定の各セットは、また、時刻、日または週、自然光レベル、占有期間、および／または他のパラメータに基づいてどの設定を使用すべきかを指定するスケジュールまたはテーブルを含んでもよい。サーバ６６は、また、ブリッジ装置６２を介して照明装置５８から、動作状態、発光データ（たとえば、いつどのような光が放射されるか）、ハードウェア情報、占有データ、外光レベル、温度、電力消費量、および光線量データなどのデータを受信し、監視することもできる。場合によっては、このデータは記録され、たとえば、照明装置５８のうちの１つまたは複数によって放射される光の特性を示すレポートを作成または生成するために使用され得る。このようなレポートは、たとえば、環境５４が、様々な期間において、またはその期間中に、照明される領域内の病原体を不活性化するのに十分な量の可視光を供給していることを証明するのに有用となり得る。
【００１４】
１つまたは複数のネットワーク７４は、たとえば広域ネットワーク（ＷＡＮ）、ローカルエリアネットワーク（ＬＡＮ）、パーソナルエリアネットワーク（ＰＡＮ）、または他のネットワークなどの、任意のタイプの有線、無線、または無線および有線のネットワークであってもよい。１つまたは複数のネットワーク７４は、任意の規格または技術（たとえば、ＧＳＭ（登録商標）、ＣＤＭＡ、ＴＤＭＡ、ＷＣＤＭＡ（登録商標）、ＬＴＥ、ＥＤＧＥ、ＯＦＤＭ、ＧＰＲＳ、ＥＶ−ＤＯ、ＵＷＢ、イーサネット（登録商標）を含むＩＥＥＥ８０２、ＷｉＭＡＸ、ＷｉＦｉ、Ｂｌｕｅｔｏｏｔｈ（登録商標）など）を介した、任意の種類のデータ通信を容易にすることができる。
【００１５】
１つまたは複数のクライアント装置７０は、スマートフォン、デスクトップコンピュータ、ラップトップコンピュータ、タブレット、ファブレット、スマートウォッチ、スマートグラス、ウェアラブル電子機器、ページャ、携帯情報端末、または無線周波数（ＲＦ）通信用に構成される演算装置を含む他の任意の電子装置などの、任意の種類の電子装置であってもよい。１つまたは複数のクライアント装置７０は、グラフィカルユーザインターフェース（ＧＵＩ）に対応してもよく、これにより、（１つまたは複数の）クライアント装置７０のユーザは、ＧＵＩを使用して、各種操作の選択、設定の変更、操作状況およびレポートの閲覧、更新の実行、電子メール／テキスト警告通知の設定、および／または他の機能の実行を行ってもよい。１つまたは複数のクライアント装置７０は、（１つまたは複数の）ネットワーク７４、サーバ６６、および（１つまたは複数の）ブリッジ装置６２を介して、任意の更新された光設定を、実施および／または記憶するために照明装置５８へ送信してもよい。（１つまたは複数の）クライアント装置７０は、（１つまたは複数の）ブリッジ装置６２に接続されてもよいゲートウェイアクセスポイントを介したデータ通信を容易にしてもよい。一実施形態では、ゲートウェイアクセスポイントは、ゲートウェイ、産業用のイーサネットスイッチ、および密閉された筐体内に組み込まれたセルラールータを含むセルラーアクセスポイントであってもよい。さらに、ゲートウェイアクセスポイントは、ｗｅｂサービスへのアクセスのために自己署名証明書を用いたＨＴＴＰＳを使用して保護されてもよく、様々なウェブサイトと、１つまたは複数のブリッジ装置６２と、照明装置５８との間でデータをプッシュ／プルしてもよい。
【００１６】
図２は、本開示に従って構築される照明装置１０４の形態をとる、照明装置５８の１つを含む医療環境１００を示す。医療環境１００は、検査室、手術室、浴室、廊下、待合室クローゼットまたは他の保管領域、クリーンルーム、またはそれらの一部であってもよく、またはそれらを含んでもよく、一般的に、上で説明されたように、危険な病原体の拡散の影響を受けやすい。
【００１７】
実験研究により、特別に設定される光線量の狭帯域スペクトル可視光（たとえば、４００ｎｍと４２０ｎｍの間の波長を有する光）は、（たとえば、３０００ｍＷよりも高い）十分に高い電力レベルで供給されると、危険な病原体を効果的に不活性化（または破壊）し得ることが示されている。しかし、これらの光線量は、それらが供給される環境中または環境に対し、気を散らすような、または審美的に不快な影響を有する傾向がある。たとえば、これらの光線量は、医療環境１００において手術を行う際に望ましくない光の出力を提供し得る。したがって、これらの光線量を、病原体を不活性化し、環境（たとえば医療環境１００）を不快でない方法で照明することを同時に可能にする照明装置に組み込むことは困難であることが証明されている。代わりに、狭帯域スペクトル可視光の光線量は、典型的には、環境が使用されていないときにのみ供給されるため、このような照明装置の不活性化の能力は大きく制限されている。
【００１８】
本明細書に記載の照明装置１０４は、医療環境１００（または他の環境）における危険な病原体を効果的に不活性化するのに十分に高いパワーレベルで、狭帯域スペクトル可視光の光線量を供給するように構成され、同時に、安全かつ不快でない方法で、環境１００（または他の環境）を十分に照明する可視光を提供する。
【００１９】
より具体的には、照明装置１０４は、約３８０ｎｍから約４２０ｎｍの間、より具体的には４００ｎｍと４２０ｎｍの間の範囲の波長を有する、少なくとも３，０００ｍＷ（３Ｗ）の消毒光を、環境１００に提供または供給（たとえば、出力、放射）するが、この範囲の波長を有するが３０００ｍＷ未満のパワーレベルで供給される光の光線量は、一般的に、危険な病原体を不活性化するのに効果的でないことが理解される。照明装置１０４は、たとえば、３，０００ｍＷ、４，０００ｍＷ（４Ｗ）、５，０００ｍＷ（５Ｗ）、６，０００ｍＷ（６Ｗ）、７，０００ｍＷ（７Ｗ）、１０，５００ｍＷ（１０．５Ｗ）、または３０００ｍＷを超える他のレベルの消毒光を提供または供給してもよい。照明装置１０４はまた、照明装置１０４を不活性化のために使用しながらも、環境１００内の任意の露出面が、所望の最小パワー密度を有する、または達成するような消毒光のレベルを提供または供給することにより、環境１００が適切に消毒されることを確実にする。この所望の最小パワー密度とは、ｃｍ2の単位で測定される単位面積当たりの任意の露出面が受ける、ｍＷで測定される最小パワーである。時間（照明装置１０４が不活性化のために使用される時間）にわたって測定または判定される場合、可視光の適用可能な帯域幅内のこの最小パワー密度は、本明細書にあるように、ｍＷ／ｃｍ2の単位で測定される、最小積算放射照度（minimum integrated irradiance）と呼ばれ得る。照明装置１０４により提供される消毒光の最小積算放射照度は、この例では、照明装置１０４の、任意の最も外側の発光面１０２上の任意の地点から１．５ｍにある、環境１００内の任意の露出面または遮蔽されていない地点から測定されるが、他の例においては、任意の外部の発光面１０２からの異なる距離、直下域（nadir）、環境１００内の任意の遮蔽されていない地点、または他のいくつかの点から測定されてもよく、最小積算放射照度は、概して、少なくとも０．０１ｍＷ／ｃｍ2に等しい。最小積算放射照度は、たとえば、０．０２ｍＷ／ｃｍ2、０．０５ｍＷ／ｃｍ2、０．１ｍＷ／ｃｍ2、０．１５ｍＷ／ｃｍ2、０．２０ｍＷ／ｃｍ2、０．２５ｍＷ／ｃｍ2、０．３０ｍＷ／ｃｍ2、または０．０１ｍＷ／ｃｍ2より大きい他の値に等しい値であってもよい。
【００２０】
同時に、照明装置１０４は、研究により人間にとって審美的に快い、または、少なくとも不快ではないとされる特性を有する白色光のような、環境１００内の、および環境１００の周囲の人間（たとえば、患者、人員）によって知覚され、狭帯域スペクトル可視光を含む消毒成分を有する可視光の出力を提供する。白色光の正確な特性は、与えられる用途に応じて変化し得るが、特性は、概して、以下の１つまたは複数を含む。（１）所望の演色性、たとえば、７０より大きい、８０より大きい、または９０より大きい演色性、（２）所望の色温度、たとえば、およそ１５００ケルビンと７０００ケルビンの間、より詳細には、およそ１８００ケルビンと５０００ケルビンの間、およそ２１００ケルビンと６０００ケルビンとの間、およそ２７００ケルビンと５０００ケルビンとの間、またはこれらの範囲内の、もしくはこれらの範囲の部分的または全体的に範囲外である他の温度もしくは温度範囲の色温度、または（３）所望の色度。
【００２１】
色度は、任意の数の異なる色度図、たとえば、１９３１ＣＩＥ色度図、１９６０ＣＩＥ色度図、または図３に示される１９７６ＣＩＥ色度図などに関連して説明することができる。照明装置１０４により出力される審美的に快い白色光は、これらの色度図に関連する、またはこれらの色度図に基づく特性を有するものとして説明され得る。たとえば、図３Ｂに示すように、照明装置１０４により出力される白色光は、ＡＮＳＩ  Ｃ７８．３７７−２０１５色規格によって規定される黒体軌跡１０５に対して、任意の数の異なる曲線上にある１９７６ＣＩＥ色度図（図３Ａ）に基づくｕ’，ｖ’座標を有してもよい。ＡＮＳＩ  Ｃ７８．３７７−２０１５色規格は、概して、快い、または視覚的に魅力のある白色光を生成する色の混合の範囲を描写する。この範囲は、概して、Ｄｕｖの単位で測定される、黒体軌跡１０５の上方または下方に多少ずれる、黒体曲線としても知られる黒体軌跡１０５によって画定される。白色光出力のｕ’，ｖ’座標は異なる曲線上に延び、異なる曲線は、与えられる用途に応じて、異なるＤｕｖ値分だけ黒体軌跡１０６からずれてもよい。たとえば、白色光は、黒体軌跡１０５から０．０３５Ｄｕｖ分上方の曲線１０６Ａ上、黒体軌跡１０５から０．０３５Ｄｕｖ分下方（−０．０３５Ｄｕｖ）の曲線１０６Ｂ上、黒体軌跡１０５から０．０２Ｄｕｖ分下方（−０．０２Ｄｕｖ）の曲線１０７上、黒体軌跡１０５から０．０２Ｄｕｖ分上方の曲線上、または黒体軌跡１０５の上方０．３５Ｄｕｖと下方０．３５Ｄｕｖの間の他の曲線上にあってもよい。
【００２２】
場合によっては、照明装置１０４は、全体的に密閉されており、それによって、たとえば、病原体が照明装置１０４の内部の構成要素上または内部の構成要素内に営巣するのが防止され、清浄度が高められる。そうでなければ、特別に構成される狭帯域スペクトル可視光が病原体に到達することが困難となる。すなわち、これらの場合には、危険な病原体が、狭帯域スペクトル可視光が及ばない表面に存在することができないように、照明装置１０４の内部の表面は、照明装置１０４の周囲の環境１００に対し暴露していない。
【００２３】
本明細書で説明するように、照明装置１０４は、要求に応じて光を放射するように構成される、１つまたは複数の発光素子、たとえば発光ダイオード（ＬＥＤ）を含む。照明装置１０４は、任意に、１つまたは複数の反射器、１つまたは複数のレンズを含む、１つまたは複数のディフューザ、および／または１つまたは複数の他の構成要素を含む。いくつかの例では、たとえば、照明装置にＬＥＤが用いられる場合、照明装置１０４は、ＬＥＤのジャンクション温度をＬＥＤの最大動作温度未満に維持する手段を含み得る。ジャンクション温度を維持する手段には、たとえば、ＬＥＤに連結されるプリント回路基板に熱を拡散させる１つまたは複数のヒートシンク、定電流ドライバトポロジ、ＮＴＣサーミスタを介する（ＬＥＤに電力を供給する）１つまたは複数のドライバへの熱フィードバックシステム、または他の、感知された高温においてＬＥＤ駆動電流を低減する手段が含まれてもよい。照明装置１０４は、人感センサ（occupancy sensor）１０８、外光センサ１１２、１つまたは複数の通信モジュール１１６、および１つまたは複数の制御コンポーネント１２０、たとえばローカル制御装置をさらに含み得る。照明装置１０４は、任意に、たとえば、２つの人感センサ１０８、装置１０４が出力する光を測定するセンサなど、１つまたは複数の追加のセンサを含み得る。
【００２４】
この例では、人感センサ１０８は、環境１００が使用されているか、または空いている（すなわち使用されていない）か、およびある期間（たとえば、１５分、３０分などの所定の期間）、使用されていたか、または空いていたかを識別する（または識別の役に立つ）ように、照明装置１０４から所定の範囲内または距離内（たとえば、５０フィート）の運動を検出する、赤外線（ＩＲ）運動センサである。人感センサ１０８は、環境１００が使用されているかどうかを判定するために、環境１００を連続的に監視してもよい。他の例では、人感センサ１０８は、異なる使用検出の手法または技術を利用して環境１００が使用されているか、もしくは使用されていないか、またはある期間、使用されていたか、いなかったかを識別する（または識別の役に立つ）異なる種類のセンサ、たとえば、超音波センサ、マイクロ波センサ、ＣＯ2センサ、熱撮像センサであってもよい。いくつかの例では、よりロバストな検出を提供するために、別々の検出の手法または技術を用いて使用を検出する多重人感センサ１０８が用いられてもよい。一例として、照明装置１０４は、使用を検出するための異なる手法または技術を利用する１つの赤外線運動センサと１つのＣＯ2センサとを含み得る。一方、外光センサ１１２は、昼間または夜間であるか否かを（したがって環境１００が使用されているか否か）を識別するために、照明装置１０４から所定の範囲内または距離内（たとえば、５０フィート）の自然光を検出するように構成される。
【００２５】
照明装置１０４は、人感センサ１０８によって取得される使用データ、および／または外光センサ１１２によって取得される自然光データに応じて、様々な特徴の、または様々な特徴を有する可視光を放射することができるように、ローカル制御装置１２０（または他の制御コンポーネント）によって制御され得る。照明装置１０４は、たとえば、環境１００が空いている（すなわち、使用されていない）ことを示すデータに応じて、特別に構成される狭帯域スペクトル可視光のみからなる可視光を出力するように、制御され得る。いくつかの場合において、狭帯域スペクトル可視光は、環境１００が実際に空いていることを確実にする安全装置を提供するように、環境１００が、所定の期間（たとえば、３０分）空いていると判定した後にのみ出力される。照明装置１０４は、（１つまたは複数の）通信モジュール１１６を介して、遠隔に位置するサーバ６６（および遠隔に位置するクライアント装置７０）に通信可能に接続され、制御されてもよく、および／または他の照明装置５８に通信可能に接続されてもよい。このようにして、照明装置１０４は、サーバ６６および／または他の照明装置５８に、動作状態（たとえば、動作モード）、発光データ、ハードウェア情報、使用期間データ、外光レベル、出力ワット数、温度、電力消費、などのデータを、送信してもよく、また、サーバ６６、他の照明装置５８、および／またはクライアント装置７０から、動作指示（たとえば、電源のオン、オフ、異なるスペクトル特性の光の提供、動作モード間の切り替え）および／または他のデータ（たとえば、他の照明装置５８からの、または他の照明装置５８についての動作データ）を受信してもよい。
【００２６】
照明装置１０４は、（たとえば、照明装置１０４のユーザによって）手動で制御可能、および／または、他の設定、パラメータ、人感センサ１０８および／または外光センサ１１２により取得されるデータに代替するデータまたはそれに追加されるデータに応じて自動で制御可能であることが理解される。照明装置１０４は、たとえば、ローカル制御装置１２０（または他の１つまたは複数の制御コンポーネント）が受信する、動作モード、調光レベル、スケジュールまたはテーブル、または他の（１つまたは複数の）パラメータまたは（１つまたは複数の）設定に応じて、ローカル制御装置１２０（または他の１つまたは複数の制御コンポーネント）によって部分的または全体的に制御されてもよい。
【００２７】
図２に示されているようないくつかの例では、照明装置１０４は、照明装置１０４によって供給されるドージングの量および頻度を監視し記録する、ドージングまたは不活性化フィードバックシステム１２４を含み得る。ドージングフィードバックシステム１２４は、この例では、ローカル制御装置１２０によって実施されるが、ドージングフィードバックシステム１２４は、照明装置１０４内の他の構成要素（たとえば、適切なプロセッサおよびメモリ）を使用して実施されてもよく、または、サーバ６６を介して実施されてもよい。いずれの場合においても、ドージングフィードバックシステム１２４は、照明装置１０４の、または照明装置１０４に関する様々なパラメータまたは設定を経時的に監視して記録することにより、前述の目的を達成する。より具体的には、ドージングフィードバックシステム１２４は、照明装置１０４により放射される光（またはその成分）のスペクトル特性、出力ワット数、波長、および／または強度と、照明装置１０４により提供される消毒用の狭帯域スペクトル可視光の最小積算放射照度と、人感センサ１０８により取得される使用データと、照明装置１０４が様々な動作モード（たとえば、検査モード）に費やした時間の量と、調光レベル、などを監視し記録する。一例として、ドージングフィードバックシステム１２４は、照明装置１０４が、消毒用の狭帯域スペクトル可視光（すなわち、４００ｎｍと４２０ｎｍの間の波長を有する光）を含む、またはそれのみからなる可視光をいつ放射したかを、およびこれらの時間の間に供給された消毒用の狭帯域スペクトル可視光のレベルおよび密度（より具体的には、最小積算放射照度）を監視および記録する。照明装置１０４のパラメータまたは設定に基づいて、ドージングフィードバックシステム１２４（および／または照明装置１０４のオペレータ）は、照明装置１０４によって供給される不活性化ドージングの量および頻度を決定し得る。代替的または追加的に、ドージングフィードバックシステム１２４は、記録データを（１つまたは複数の通信モジュール１１６を介して）サーバ６６に提供することができ、それによって、次に、照明装置１０４によって供給される不活性化用ドージングの量および頻度を決定することができる。いくつかの場合には、ドージングフィードバックシステム１２４および／またはサーバ６６は、不活性化用ドージングに関する、取得されるデータおよび／または決定を含む定期的なレポートを生成することができる。ドージングフィードバックシステム１２４が、これらのレポートを生成すると、レポートは、（１つまたは複数の）通信モジュール１１６を介してサーバ６６または他の任意の構成要素に送信され得る。いずれの場合においても、ドージングフィードバックシステム１２４は、照明装置１０４を実施する病院または他の環境１００が、様々な期間に亘って、または特定の時点（たとえば、特定の手術中など）において、十分なレベルの不活性化用ドージングが、供給されたことを定量的に判定（および検証）することを可能にする。これは、たとえば、病院または他の環境１００が、病院または他の環境１００に滞在中にＨＡＩに罹ったと主張する患者により訴えられるという場合に、極めて有用となり得る。
【００２８】
図４Ａ〜図４Ｃに示すように、照明装置１０４は、電球または照明器具２００の形態をとり得る。照明器具２００は、密閉筐体２０４と、筐体２０４の一部に連結される（たとえば、設置または取付けられる）発光素子２１２のアレイ２０８と、筐体２０４に連結される（たとえば、一体的に形成される）基部２１６と、筐体２０４の一部に連結される（たとえば、設置または配置される）人感センサ２２０と、を含む。人感センサ２２０は、環境１００内の光源２００から所定の範囲内または距離内（たとえば、５０フィート）の運動を検出するように最適に位置決めされる。照明器具２００は、以下でより詳細に説明するように、人感センサ２２０によって取得される検出データに応じた光を放射することが可能である。
【００２９】
筐体２０４は、上述したように、密閉されているため、照明器具２００内への水分の侵入や照明器具２００の内部部品の汚染を防止している。より具体的には、危険な病原体が、光源２００により放射される不活性化光が及ばない表面に存在することができないように筐体２０４の内部の表面は、環境１００に暴露されない。図４Ａ〜４Ｃに示す筐体２０４は、アルミニウムまたはステンレスからなるか、またはアルミニウムまたはステンレスにより製造され、第１端部２２４と、第２端部２２８と、第２端部２２８に形成される、外側に延びる環状フランジ２３０と、第１端部２２４と第２端部２２８との間に延在する外周壁２３２と、を有する。外周壁２３２は、略円錐状であり、周壁２３２の直径は、壁２３２の直径が、第１端部２２４よりも第２端部２２８で大きくなるように、第１端部２２４から第２端部２２８に向かって増加する。
【００３０】
筐体２０４はまた、円形支持表面２３６と、支持表面２３６を囲繞する内周壁２４０とを含む。少なくとも図４Ｂでは下方を向いている支持表面２３６は、発光素子２１２のアレイ２０８の一部または全体を受容するように配置される。内周壁２４０は、外周壁２３２と同様に略円錐状である。内周壁２４０は、外周壁２３２の径方向内側に離間しており、筐体２０４のフランジ２３０と支持表面２３６との間に延在する。
【００３１】
筐体２０４はまた、この例では円筒状ポスト２４４の形態である支持要素を含み、光源２００の中心軸２４８に沿って配置される。円筒状ポスト２４４は、支持表面２３６から外側（図４Ｂで見ると下方）に延び、第２端部２２８に対して軸方向で内側に位置決めされる（すなわち、軸方向で第１端部２２４と第２端部２２８との間に位置する）端部２５０にて終端する。空洞２５２が、フランジ２３０と、内周壁２４０と、円筒状ポスト２４４との間に、第２端部２２８に近接して形成または画定される。
【００３２】
発光素子２１２のアレイ２０８は、概して、密閉筐体２０４の上または内部に配置される。発光素子２１２のアレイ２０８は、この例では、環境１００に露出する密閉筐体２０４の外側部分上に配置される。より詳細には、図４Ｂおよび４Ｃに示すように、発光素子２１２は、支持表面２３６上でポスト２４４を囲繞するように、空洞２５２内に配置される。発光素子２１２は、任意の既知の方法で（たとえば、留め金具、接着剤などを使用して）固定され得る。与えられる用途に応じて（たとえば、医療環境１００に応じて）、任意の数の発光素子２１２が利用されてもよい。一例として、より大きな環境１００、および／または、高レベルの危険な病原体の影響を特に受けやすい環境１００に対し、より多くの発光素子２１２が利用されてもよい。
【００３３】
発光素子２１２は、任意の数の様々なパターンに配置される、１つまたは複数の第１発光素子２５６および１つまたは複数の第２発光素子２６０を含む。図４Ｃおよび図４Ｄに示される発光素子２１２は、複数のグループ（cluster）２６２を含み、複数のグループ２６２のそれぞれは、３つの第２発光素子２６０によって囲繞される１つの第１発光素子２５６を有する。しかし、他の例では、発光素子２１２は、別様に配置されてよく、たとえば、グループ２６２のうちの１つまたは複数が、異なる配置の第１発光素子２５６および第２発光素子２６０を有するように配置されてもよい。この例の発光素子２５６は、発光ダイオード（ＬＥＤ）の形態をとり、全体として（すなわち結合して）、少なくとも３０００ｍＷの特別に構成される可視光、すなわち、約３８０ｎｍと約４２０ｎｍの間の範囲の波長を有する光、より詳細には、４００ｎｍと４２０ｎｍの間の波長を有する光を放射するように構成される）。場合によっては、発光素子２５６は、少なくとも５０００ｍＷの特別に構成される可視光を全体として放射するように構成されてもよく、他の場合には、発光素子は、少なくとも１００００ｍＷの特別に構成される可視光を全体として放射するように構成されてもよい。発光素子２６０もまた、少なくともこの例では、ＬＥＤの形態をとってもよいが、発光素子２５６が放射する可視光を補完する可視光を放射するように構成される。一般的に言えば、発光素子２６０が放射する光は、発光素子２５６が放射する光の波長よりも大きな波長を有する。多くの場合、発光素子２６０の、全てでない場合、いくつかが放射する光は、５００ｎｍよりも大きい波長を有する。一例として、発光素子２６０は、赤色、緑色、青色を放射し、そしてそれらが組み合わされて白色の可視光を生成または形成してもよい。発光素子２５６が放射する光の合計は、この通りでなくてもよいが、多くの場合、発光素子２６０が放射する光の合計よりも大きな光束を有する。
【００３４】
いずれの場合であっても、発光素子２５６および２６０は、アレイ２０８によって放射される光の合計または組み合わせが、白色、白の色合いのもの、または医療環境１００において審美的に不快でない異なる色であるように構成される。一般的に言えば、光の合計または組み合わせは、７０より大きい演色性、より好ましくは、８０より大きい、９０より大きい演色性を有し、１５００ケルビンと７０００ケルビンとの間の範囲の色温度、好ましくは２１００ケルビンと６０００ケルビンとの間の、２７００ケルビンと５０００ケルビンとの間の範囲の色温度を有する。
【００３５】
基部２１６は、筐体２０４の第１端部２２４に近接して連結され、そこから外側に突出する。この例の基部２１６は、ねじ状基部であり、筐体２０４と一体的に形成され、医療環境１００の受容構造部に設けられる、適合するソケット（図示されず）にねじ込まれるように構成される。適合するソケットは、医療環境１００に応じて、壁、天井、床、筐体、または他の構造体に設けられてもよい。いずれの場合であっても、当該技術分野で知られているように、ねじ状基部２１６は、基部２１６がソケットに連結されるときに、ソケットの対応する電気接点に電気的に接続されるように適合される１つまたは複数の電気接点を含んでもよく、それによって照明器具２００に電力が供給される。
【００３６】
一般的には、基部２１６は、筐体２０４の少なくとも一部が、別の構造内に凹設され、それによって筐体２０４の一部を外部環境から密封するように、適合するソケットにねじ込まれることが望ましい。図５Ａ、および５Ｂは、このような例を示す図であり、照明器具２００は、天井、筐体、または環境１００内の他の構造体に設けられる（たとえば、形成される）受容構造部２７０内に密閉されて配置されている。受容構造部２７０は、略円筒状基部２７２、および基部２７２の端部２７６に形成される外側に延びるフランジ２７４を有する。密閉部（たとえば、ガスケット）２７８は、受容構造部２７０の、外側に延在するフランジ２７４上に配置される。照明設備２００の基部２１６が、受容構造部２７０内に設けられる適合するソケット（図示されず）にねじ込まれると、照明器具２００の筐体２０４が、実質的に完全に受容構造部２７０の基部２７２内に配置される、または後退させられ、光源２００のフランジ２３０は、受容構造部２７０のフランジ２７４上に配置される密閉部２７８に、密閉するように係合する。このようにして、筐体２０４は、外部環境１００から実質的に密閉される。
【００３７】
再度、図４Ａおよび４Ｂを参照すると、受動型赤外線運動センサ、マイクロ波運動センサ、超音波運動センサ、または他の種類の人感センサの形態をとってもよい、人感センサ２２０が、筐体２０４の下方を向く部分に配置または設置されている。この例における人感センサ２２０は、円筒状ポスト２４４の端部２５０に配置されることにより、人感センサ２２０が、環境１００内の照明装置２００から所定の範囲内または距離内（たとえば、５０フィート）の運動を検知することが可能になる。場合によっては、人感センサ２２０は、（たとえば、環境１００が１つの照明器具２００のみを含む場合）環境１００内の任意の動きを検出してもよい。上で簡単に説明したように、光源２００は、人感センサ２２０によって取得される検出データに応じて光を放射してもよい。より詳細には、照明器具２００は、人感センサ２２０によって取得される検出データに応じて、出力される光を調整してもよい。たとえば、人感センサ２２０が、所定の範囲または距離内でいかなる動きも検出しない場合には、医療環境１００が使用されていない（したがって、放射される光の色は問題ではない）ため、照明装置２００は停止してもよく、または第２の発光素子２６０から弱い光を放射してもよい。すなわち、光源２００は、第１の発光素子２５６のみから光を放射してもよく、それにより、より少ない電力を使用しながらも危険な病原体を不活性化する。逆に、人感センサ２２０が、所定の範囲または距離内の動きを検出する場合、照明器具２００は、第１の発光素子２５６と第２の発光素子２５６の両方から光を放射してもよく、これにより、審美的に不快でない光（たとえば、白色光）が使用されている医療環境１００に提供され、同時に、環境１００が使用されている間であっても、照明設備２００が危険な病原体を不活性化し続けることを確実にする。
【００３８】
さらに図４Ａおよび図４Ｂを参照すると、照明器具または電球２００はまた、環状のリフレクタ２８０を含む。この例におけるリフレクタ２８０は、筐体２０４の内周壁２４０に取り付けられるナノ複製反射フィルムである。リフレクタ２８０は、任意の既知の方法（たとえば、複数の留め金具を使用する、接着剤使用するなど）でそこに固定され得る。そのように配置されると、リフレクタ２８０は、光源２００から放射される光を環境１００に集束させ、均一に分布させるのに役立つように、第１発光素子２５６および第２発光素子２６０を囲繞する、または取り囲む。所望であれば、異なる、制御される光の分布を生成するように、リフレクタ２８０は別様に配置されてもよく、または他の種類のリフレクタを代わりに利用してもよい。
【００３９】
本明細書には示されていないが、１つまたは複数のドライバ（たとえば、ＬＥＤドライバ）、１つまたは複数の他のセンサ（たとえば、外光センサ）、１つまたは複数のレンズ、１つまたは複数のリフレクタ、１つまたは複数の基板（たとえば、プリント回路基板、ユーザインターフェース基板）、配線、各種制御コンポーネント（たとえば、サーバ６６に通信可能に接続されるローカル制御装置）、１つまたは複数の通信モジュール（たとえば、１つまたは複数のアンテナ、１つまたは複数の受信機、１つまたは複数の送信機）、および／または他の電気的構成要素が、密閉筐体２０４の内部または密閉筐体２０４に近接して配置または設置され得ることが理解される。通信モジュールは、１つまたは複数の無線通信モジュールおよび／または１つまたは複数の有線通信モジュールを含み得る。したがって、１つまたは複数の通信モジュールは、（１つまたは複数の）任意の既知の通信プロトコルを使用して、電球または照明器具２００の構成要素、ローカル制御装置、サーバ６６、および／または他の制御システム構成要素の間の無線および／または有線による通信を容易にし得る。より具体的には、１つまたは複数の通信モジュールは、電球または照明器具２００の構成要素、ローカル制御装置、サーバ６６、他の照明装置５８、および／または他の制御システム構成要素の間で、使用または運動データ、動作指示（たとえば、電源のオン、オフ、調光など）などの様々なデータの転送を容易にし得る。たとえば、発光素子２５６、２６０から光が放射された時を示すデータが、監視され、そのような通信モジュールを介してサーバ６６に送信されることが可能である。別の例として、所定の期間（たとえば、特定の手術の間）に亘って発光素子２５６、２６０からどれだけの光が放射されるかを示すデータが監視され、そのような通信モジュールを介してサーバ６６に送信されることが可能である。
【００４０】
他の例では、電球または照明器具２００は、異なるように構築され得る。具体的には、筐体２０４は、異なる大きさ、形状を有してもよく、および／またはアルミニウムまたはステンレス鋼以外またはそれに加えて１つまたは複数の種類の材料で作製されてもよい。たとえば、筐体２０４は、長方形、正方形、三角形、不規則な形状、または他の適切な形状を有し得る。１つの例では、筐体２０４は、ポスト２４４を含まなくてもよく、および／またはポスト２４４は、図４および図４Ｂに示す円筒状ポスト２４４とは異なる形状および／またはサイズであってもよい。
【００４１】
さらに、発光素子２１２のアレイ２０８は変化し得る。いくつかの変形例では、アレイ２０８（またはその一部）は、筐体２０４の異なる部位内または異なる部位上に配置され得る。いくつかの例では、発光素子２１２のアレイ２０８は、上記のように、十分に高いパワーレベルで、特別に構成されるスペクトル可視光を放射するように構成される第１発光素子２５６のみを含んでもよい。これらの例では、アレイ２０８によって放射される光の合計または組み合わせが、白色、白の色合いのもの、または医療環境１００において審美的に不快でない異なる色であるように、特別に構成される狭帯域スペクトル可視光よりも高い波長を有する光を生成するために、発光素子２５６のうちの１つまたは複数が、蛍光体、蛍光体が注入された基板、ならびに／または１つまたは複数の他の材料および／もしくは媒体で被覆または被膜されてもよい。図６Ａおよび６Ｂは、そのような例の１つを示しており、発光素子２１２が、４つの発光素子２５６からなる複数のグループ２８４を含み、発光素子２５６Ａ、２５６Ｂ、２５６Ｃの３つは、蛍光体で被覆または被膜されており、１つの発光素子２５６Ｄは、覆われていない（すなわち蛍光体で被覆されていない）。図示される例では、各グループ２８４によって（したがってアレイ２０８によって）放射される光の合計または組み合わせが、白色、白の色合いのもの、または医療環境１００において審美的に不快でない異なる色であるように、３つの発光素子２５６Ａ、２５６Ｂ、および２５６Ｃは、青色、赤色、および緑色の蛍光体でそれぞれ被覆または被膜される。他の例では、より多くの、またはより少ない発光素子２５６が蛍光体で被覆されてもよく、発光素子２５６は、異なる色の蛍光体で被覆されてもよく、および／または発光素子２５６の互いに対する配置が異なってもよい（すなわち、グループ２８４が異なってもよい）ことが理解される。さらに他の例では、アレイ２０８は、環境１００において運動が検出されない場合にのみ電源がオンにされるように構成される、十分に高いパワーレベルで特別に構成される可視光を放射するように構成される追加の発光素子、たとえばＬＥＤを含み得る。最後に、第１発光素子２５６および／または第２発光素子２６０が、ＬＥＤではなく、蛍光、白熱、プラズマ、または他の発光素子の形態をとり得ることが理解される。
【００４２】
図７は、照明装置１０４の別の例を示す。図７に示されるように、照明装置１０４は、電球または照明器具３００の形態をとることができる。照明器具３００は、照明器具２００と実質的に類似であり、共通の構成要素を参照するために共通の参照符号が使用される。しかしながら、光源２００とは異なり、光源３００は、光源３００の外側表面上に形成され、照明器具３００により、より詳細には、発光素子２１２により発生される熱を放散するように構成されるヒートシンク３０２を含む。いくつかの場合では、ヒートシンク３０２は、外周壁２３２の一部の周りに連結（たとえば、取付け、付着）され得るが、他の場合では、ヒートシンク３０２は、筐体２０４と一体的に形成され得る（その場合、ヒートシンク３０２は、壁２３２の一部または全体の場所に取って代わってもよい）。
【００４３】
図８は、照明装置１０４のさらに別の例を示している。図７に示されるように、照明装置１０４は、電球または照明器具４００の形態をとり得る。光源４００は、光源２００、３００の筐体２０４とは異なる密閉筐体４０４を含む。密閉筐体４０４は、この例では、ガラスまたはプラスチックからなるか、ガラスまたはプラスチックから製造され、従来の白熱電球の筐体状に形成される。光源４００はまた、上記の基部２１６と類似の基部４１６を含む。しかし、従来の白熱電球とは異なり、光源４００は発光素子２１２も含み、発光素子２１２は密閉筐体４０４内に配置され、説明されたように、不快でない品質の光の出力を提供しながら、危険な病原体を効果的に不活性化するのに十分に高いパワーレベルで特別に構成される狭帯域スペクトル可視光を提供するように構成される。
【００４４】
図９Ａ〜図９Ｄは、照明器具５００の形態である照明装置１０４のさらに別の例を示している。照明器具５００は、筐体またはシャーシ５０４と、筐体５０４の一部に連結（たとえば、設置または取付け）される複数の発光素子５１２と、発光素子５１２により放射される光を効率的に拡散するように構成されるレンズ５１４と、筐体５０４に連結される（たとえば、一体的に形成される）一対の支持アーム５１６と、上述した制御装置１２０と同一のローカル制御装置５２０の形態の制御装置と、を含む。照明器具５００はまた、人感センサ、外光センサ、通信モジュール、およびドージングフィードバックシステムを含むが、これらは上で説明した運動センサ１０８、外光センサ１１２、通信モジュール１１６、ドージングフィードバックシステム１２４とそれぞれ同一であり、簡潔にするために、図９Ａ〜９Ｃには示されず、以下においてはさらに詳細には説明されないことが理解される。照明器具５００はまた、照明装置１０４に関連して説明されたジャンクション温度を維持するための手段のいずれかを含んでもよい。
【００４５】
この例の筐体５０４は、鋼製（たとえば、１８ゲージの溶接冷間圧延鋼）または鋼から製造され、少なくとも図９Ｂでは、下方を向いている、湾曲した内部支持表面５３２を囲繞する、略矩形のフランジ５２８を有する。矩形フランジ５２８および湾曲した内部支持表面５３２は、併せて、この例ではＫｅｎａｌｌ  Ｍａｎｕｆａｃｔｕｒｉｎｇ製のＦｒｏｓｔ  Ｄｒ  アクリルレンズであるレンズ５１４を受容するようにサイズ決めされる空洞５３６を画定する。支持アーム５１６は、フランジ５２８に近接している筐体５０４の外側部分に連結され、一方の支持アーム５１６が筐体５０４の第１端部５４４に連結される、またはそれに近接しており、他方の支持アーム５１６は、筐体５０４の、第１端部５３６と反対側の第２端部５４６に連結される、またはそれに近接している。したがって、支持アーム５１６は、たとえば環境１００の天井内での照明器具５００の設置を容易にするように配置される。
【００４６】
発光素子５１２は、概して、筐体５０４の上または内部に配置される。発光素子５１２は、この例では、筐体５０４とレンズ５４０とによって画定される密閉または閉鎖された光混合チャンバ５５０に配置される。発光素子５１２は、任意の既知の方法で（たとえば、留め金具、接着剤などを使用して）そこに固定され得る。この例の発光素子５１２は、複数の第１ＬＥＤ５５６の形態の複数の第１発光素子、および複数の第２ＬＥＤ５６０の形態の複数の第２発光素子を含む。発光素子５１２は、図９Ｃに示されるように、第１および第２のＬＥＤモジュール５５４、５５８上に配置されてもよく、第２ＬＥＤ５６０は、様々な列および行となるようにグループを形成し、第１ＬＥＤ５５６は、これらの列および行の間に配置される、または別様に配置されてもよい。１つの例では、第１ＬＥＤ５５６と第２ＬＥＤ５６０との比が１：６となるように、９６個の第１ＬＥＤ５５６、および５７６個の第２ＬＥＤ５６０が使用される。他の例では、異なる第１ＬＥＤ５５６と第２ＬＥＤ５６０との比率で、より多くの、またはより少ない第１および第２ＬＥＤ５５６、５６０が用いられてもよい。一例として、第１および第２ＬＥＤ５５６、５６０の電力能力に応じて、第１ＬＥＤ５５６と第２ＬＥＤ５６０との比は、１：３、１：２、１：１、または他の比率に等しくてもよい。
【００４７】
第１ＬＥＤ５５６は、発光素子２５６と同様に、特別に構成される可視光、すなわち、約３８０ｎｍと約４２０ｎｍの間の範囲の波長を有する光、より詳細には、４００ｎｍと４２０ｎｍの間の波長を有する光を提供（たとえば、放射）するように構成され、第１ＬＥＤ５５６の組み合せまたは合計が、照明器具５００の周囲の病原体を不活性化するのに十分に高いレベルの特別に構成される可視光を提供または供給（たとえば、放射）するように構成される。第１ＬＥＤ５５６は、併せて（すなわち、合計で）少なくとも３０００ｍＷの特別に構成される可視光、たとえば３０００ｍＷ、４０００ｍＷ、５０００ｍＷ、他の３０００ｍＷより大きいレベルの可視光を放射してもよい。ＬＥＤ５５６の全てによって放射されるか、または提供される、特別に構成される可視光の最小積算放射照度は、少なくともこの例では、照明装置５０４の、任意の最も外側の発光面５６２上の任意の地点から１．５ｍにある、環境１００内の任意の露出面または遮蔽されていない地点から測定され、０．０１ｍＷ／ｃｍ2、０．０２ｍＷ／ｃｍ2、０．０５ｍＷ／ｃｍ2、０．１ｍＷ／ｃｍ2、０．１５ｍＷ／ｃｍ2、０．２０ｍＷ／ｃｍ2、０．２５ｍＷ／ｃｍ2、０．３０ｍＷ／ｃｍ2、または０．０１ｍＷ／ｃｍ2よりも大きい他の値に等しい。他の例では、特別に構成される可視光の最小積算放射照度は、環境１００内の、任意の最も外側の発光面５６２、直下域、他の任意の遮断されていない、または露出面から、異なる距離で測定されてもよい。第２ＬＥＤ５６０は、発光素子２６０と同様に、可視光を放射するように構成されるが、第２ＬＥＤ５６０は、１つまたは複数の第１ＬＥＤ５５６から放射される光の波長よりも大きい波長を有する光を放射する。第１ＬＥＤ５５６から放射される光は、概して、必ずしもそうである必要はないが、５００ｎｍより大きい波長を有する。
【００４８】
いずれの場合であっても、混合チャンバ５５０内に形成される、組み合わされるまたは混合される光出力が、上述した特性を有する白色光（たとえば、８０より大きいＣＲＩ、２１００ケルビン〜６０００ケルビンの間の範囲の色温度、および／または、ＡＮＳＩ  Ｃ７８．３７７−２０１５色規格で規定される黒体軌跡の下方０．０３５Ｄｕｖと上方０．０３５上方の間の曲線上にある１９７６ＣＩＥ色度図に基づくｕ’，ｖ’座標を有する白色光）であるように、第２ＬＥＤ５６０によって放射される光は、１つまたは複数の第１ＬＥＤ５５６によって放射される可視光を補完する。その結果、たとえば図９Ｅに示すように、照明器具５００による、組み合わされるまたは混合される光の出力は、人間にとって審美的に快い。
【００４９】
再度、図９Ｄを参照すると、照明装置５０４はまた、第１ＬＥＤドライバ５６４および第２ＬＥＤドライバ５６８を含み、それぞれ、制御装置５２０に電気的に接続され、外部電力源（図示されず）より受け取る外部電力（たとえば、交流電力）によって電力が供給されている。制御装置５２０から受信する指示または命令に応じて、第１ＬＥＤドライバ５６４は、第１ＬＥＤ５５６に電力を供給するように構成され、第２ＬＥＤドライバ５６４は、第２ＬＥＤ５６０に電力を供給するように構成される。他の例では、照明装置５６４は、より多くの、またはより少ないＬＥＤドライバを含んでもよい。一例として、照明装置５６４は、第１ＬＥＤ５５６および第２ＬＥＤ５６０に電力を供給するように構成される、単一のＬＥＤドライバを含んでもよく、または、第１ＬＥＤ５５６に電力を供給するように構成される複数のＬＥＤドライバ、および第２ＬＥＤ５６０に電力を供給するように構成される複数のＬＥＤドライバを含んでもよい。
【００５０】
図９Ｄにも示すように、制御装置５２０は、照明装置５０４のユーザから（たとえば、照明器具５００に電気的に接続される調光スイッチを介して入力されて）および／またはたとえばサーバ６６を介して中央制御装置から受信する調光設定５７２および／またはモード制御設定５７６を受信してもよい。調光設定５７２は、照明装置に望ましい調光器または調光レベルを指定する０−１０Ｖの制御信号であり、調光レベルは、第１および第２ＬＥＤ５５６、５６０の所望の組み合わされた光出力と、第１および第２ＬＥＤ５５６、５６０の最大の組み合わされた光出力との比である（および上述した混合されるまたは組み合わされる出力に対応する）。０Ｖの入力は、概して、所望の調光レベルの１００％（すなわち、第１ＬＥＤ５５６または第２ＬＥＤ５６０に電力が供給されない）に対応し、５Ｖの入力は、概して所望の調光レベルの５０％に対応し、１０Ｖの入力は、概して所望の調光レベルの０％（すなわち、第１および第２ＬＥＤ５５６、５６０が最大まで電力供給される）に対応しているが、必ずしもこの通りでなくてもよい。モード制御設定５７６は、照明装置５０４に望ましい動作モードを指定する制御信号である。モード制御設定５７６は、たとえば、照明装置５０４が第１のモード（たとえば、検査モード、消毒モード、混合モード）であり、それによって、第１および第２ＬＥＤ５５６、５６０が、最大まで電力供給される、または第２のモード（たとえば、夜間モード）であり、それによって、第１ＬＥＤ５５６に電力供給されていない（または低レベルで電力供給される）間に、第２ＬＥＤ５６０に電力供給されることを指定してもよい。他のモード、および／または異なる電力設定または電力レベルに対応するモードが利用されてもよい。
【００５１】
動作中、照明器具５００は、ローカル制御装置５２０からの命令または指示に基づいて、または応じて光を提供または出力（たとえば、放射）する。より具体的には、第１ＬＥＤドライバ５６４および／または第２ＬＥＤドライバ５６８は、第１ＬＥＤ５５６および／または第２ＬＥＤ５６０が、ローカル制御装置５２０から受信するその効果に対する命令または指示に基づいて、または応じて所望のレベルの光を提供または出力（たとえば、放射）するように、第１ＬＥＤ５５６および／または第２ＬＥＤ５６０に電力を供給する。これらの命令または指示の生成は、調光設定５７２の受信、モード制御設定５７６の受信、人感センサにより取得される使用データおよび／もしくは外光センサにより取得される外光データに基づいて、または応じてもよく、ならびに／またはサーバ６６および／またはクライアント装置７０から受信する命令または指示に基づいて、または応じてもよい。したがって、照明器具５００、より詳細には、第１ＬＥＤ５５６および／または第２ＬＥＤ５６０は、人感センサにより取得される使用データ、外光センサにより取得される外光データ、および／または他の命令または指示（たとえば、タイミング設定、調光設定、モード制御設定）に応じて光を提供（たとえば、放射）してもよい。
【００５２】
照明器具５００は、たとえば、環境１００が使用されていることを示すデータ、環境１００に所定量より大きい自然光が存在する（すなわち日中である）ことを示すデータ、および／または様々な命令および指示に応じて、第１ＬＥＤ５５６および第２ＬＥＤ５６０から光を放射することができ、上述した白色可視光の混合または組み合わされる出力が生成される。次に、照明器具５００は、環境１００内の危険な病原体を効果的に不活性化する可視白色光を生成し、同時に、（たとえば、環境１００が使用されているため、昼間であるため、および／または他の理由から）安全かつ不快な方法で環境１００を照明する。
【００５３】
しかし、環境１００が使用されていない、または所定の時間の間（たとえば、３０分、６０分）、使用されていなかったことを示すデータに応じて、出力光の実質的な部分が第１ＬＥＤ５５６から出力される、または、（環境１００は使用されていないので、視覚的に魅力的な混合出力を生成するためにもはや必要とされない）第２ＬＥＤ５６０を停止させ、それによって図９Ｆに示すように、第１ＬＥＤ５５６からのみ光が放射されるようにするように、照明器具５００は、第２ＬＥＤ５６０の電力を低減し得る。照明器具５００は、同時に、第１ＬＥＤ５５６のパワーまたは強度を増加してもよく、場合によっては、図示されていないが、ＬＥＤ５５６と同様に、十分に高いレベルの特別に構成される可視光、すなわち、約３８０ｎｍと約４２０ｎｍの間の範囲の、より詳細には、４００ｎｍと４２０ｎｍの間の波長を有する光を放射するように構成される１つまたは複数の第３のＬＥＤを作動させてもよい。このようにして、（環境１００が使用されていないため、照明器具５００の視覚的魅力を犠牲にすることなく）照明器具５００の不活性化の効果を増加させることができ、同時に、照明器具５００のエネルギー消費量を低減することができる、または（第１ＬＥＤ５５６が低減または停止されることにより）少なくとも維持することができる。
【００５４】
場合によっては、照明器具５００は、環境１００が使用されていない、所定時間よりも短い時間（たとえば、３０分）使用されていなかったことを示すデータに応じて、上述した（第１および第２ＬＥＤ５５６、５６０の）組み合わされるまたは混合される光出力を提供または出力し得る。これにより、第２ＬＥＤ５６０が停止または低減される前に、環境１００が実際に空いていることを確実にするフェールセーフモードが提供される。
【００５５】
照明器具５００は、類似のまたは異なる方法で、第２ＬＥＤ５６０からの光を必要としないように、環境１００中に所定量より多くの自然光が存在すること、または環境１００中に所定量より少ない自然光が存在する（すなわち夜間であり、環境１００は使用される見込みが少ない）ことを示すデータに応じ得る。所望であれば、照明器具５００は、環境１００が使用されていないことを示すデータ、および夜間であることを示すデータに応じるこのような方法でのみ応答してもよい。あるいは、照明器具５００は、タイマ設定（たとえば、午後６時３０分以降など）および／または他の命令または指示に応じるこのような方法でのみ応答してもよい。
【００５６】
照明器具５００は、より詳細には第１ＬＥＤ５５６および第２ＬＥＤ５６０は、制御装置５２０が受信する調光設定５７２またはモード制御設定５７６などの設定に応じても制御され得る。調光設定５７２またはモード制御設定５７６の受信に応じて、制御装置５２０は、受信する設定に従って第１および第２ＬＥＤドライバ５６４、５６８に第１および第２ＬＥＤ５５６、５６０をそれぞれ電力供給させる（またはさせない）。より詳細には、制御装置５２０は、調光設定５７２またはモード制御設定５７６を受信すると、制御装置５２０は、調光設定５７２により指定される所望の調光レベル、またはモード制御設定５７６により指定される所望の動作モードに従って、第１および第２ＬＥＤ５５６、５６０に電力供給する（またはしない）ように第１ＬＥＤ制御信号５８０を介して第１ＬＥＤドライバ５６４に指示し、第２ＬＥＤ制御信号５８４を介して第２ＬＥＤドライバ５６８に指示する。
【００５７】
図９Ｇは、制御装置５２０が、様々な調光レベル（たとえば、０％、２５％、５０％、７５％、１００％）を指定する様々な調光設定５７２に応じて第１および第２ＬＥＤドライバ５６４、５６８を制御することができる方法の一例を示す。一般的に言えば、制御装置５２０は、調光レベルの減少に応じて、第１および第２ＬＥＤドライバ５６４、５６８に、第１および第２ＬＥＤ５５６、５６０による合計光出力を増加させ、それによって合計光出力の色温度が増加し、また、調光レベルの増大に応じて、第１および第２ＬＥＤドライバ５６４、５６８に、第１および第２ＬＥＤ５５６、５６０による合計光出力を減少させ、それによって合計光出力の色温度が減少する。しかし、図９Ｇに示すように、制御装置５２０は、（第２ＬＥＤドライバ５６８を介して）第２ＬＥＤ５６０を制御する方法とは別の方法で（第１ＬＥＤドライバ５６４を介して）第１ＬＥＤ５５６を制御する。すなわち、様々な調光レベルにおいて、第１ＬＥＤ５５６により放射される光の量と、第２ＬＥＤ５６０により放射される光の量との間には非線形の関係が存在する。様々な調光レベルの関数として、第１および第２ＬＥＤドライバ５６４、５６８によって第１および第２ＬＥＤ５５６、５６０にそれぞれ供給される総電力を表す第１の曲線５８８は、同一の、様々な調光レベルの関数として第１ＬＥＤ５５６に供給される電力を表す第２の曲線５９２とは平行でないことによって、この関係が示されている。一例として、（ｉ）照明器具５００が最大（１００％）の出力で動作されるように、調光設定５７２が０％の調光レベル（すなわち、減光なし）を指定する場合、総電力の約５０％が第１ＬＥＤ５５６に供給され、（ｉｉ）照明器具５００が半分（５０％）の出力で動作するように、調光設定５７２が、５０％の調光レベルを指定する場合、総電力の５０％未満が第１ＬＥＤ５５６に供給され、（ｉｉｉ）照明器具５００が２５％未満の出力で動作するように、調光設定５７２が、７５％より大きいが１００％未満の調光レベルを指定する場合、第１ＬＥＤ５５６に電力は供給されない。その結果、第１ＬＥＤ５５６は、第２ＬＥＤ５６０が完全にオフになる前に、完全にオフにされる。このようにして、照明器具５００による光出力は、照明器具５００が減光されている場合、特に、非常に高いレベル（たとえば、８０％、８５％、９０％、９５％）に減光されても、不快でなく、審美的に快いままである。
【００５８】
図１０Ａ〜図１０Ｄは、照明器具６００の形態の、照明装置１０４のさらに別の例を示す。照明器具６００は、（フランジ６２８を有する）筐体またはシャーシ６０４、照明器具から放射される光を効率的に拡散させるように構成されるレンズ６１４、およびローカル制御装置６１８、人感センサ、通信モジュール、制御装置１２０と同一のドージングフィードバックシステム、センサ１０８、モジュール１１６、ならびにドージングフィードバックシステム１２４などの構成要素を含む点で、照明器具５００と類似であり、それらの構成要素は、それぞれ上で説明されており、したがって、簡潔にするために、さらに詳細には説明されない。照明器具６００はまた、照明装置１０４に関連して上述したジャンクション温度を維持するための手段のいずれかを含んでもよい。しかし、照明器具６００は、照明器具５００の複数の発光素子５１２とは異なる複数の発光素子６１２を含む。発光素子６１２は、発光素子５１２と同様に、筐体６０４およびレンズ６１４により画定される、密閉されるまたは閉鎖される光混合チャンバ内のＬＥＤモジュール６５４上に配置され、発光素子６１２のそれぞれは、図１０Ｂおよび図１０Ｃに示すように、発光ダイオード（ＬＥＤ）６５６、および、図１０Ｄに示すように、それに関連付けられ、ＬＥＤ６５６によって放射される光の一部を変換するように構成される光変換素子６５７の形態をとる。この変形例では、各ＬＥＤモジュール６５４は、７６個の発光素子６１２を含むが、他の例では、より多くの、またはより少ない発光素子６１２が使用され得る（および／または、光変換素子６５７なしで追加のＬＥＤ６５６が用いられてもよい）。この例では、蛍光体、蛍光体が注入された基板などの蛍光体素子であってもよい光変換素子６５７は、ＬＥＤ６５６を被覆または被膜するが、他の例では、光変換素子６５７は、ＬＥＤ６５６（たとえば、遠隔にある蛍光体要素）から離れて位置してもよい。
【００５９】
動作中、発光素子６１２のＬＥＤ６５６は、組み合わされる、または合算されると、病原体を不活性化するのに十分な出力レベルを生成する消毒光（たとえば、４００ｎｍと４２０ｎｍの間の波長を有する光）を放射する。上述したように、ＬＥＤ６５６は、少なくとも３，０００ｍＷの消毒光、たとえば、３，０００ｍＷ、４，０００ｍＷ、５，０００ｍＷ、または３０００ｍＷより大きい他のレベルの可視光を放射するように組み合わされてもよい。各ＬＥＤ６５６により放射される消毒光の少なくとも第１の部分または成分７００（および図１０Ｄでは、複数の成分７００）は、変調することなく、それぞれの光変換素子６５７中を移動する、または通過し、一方で、各ＬＥＤ６５６により放射される消毒光の少なくとも第２の部分または成分７０４（および図１０Ｄでは、複数の成分７０４）は、それぞれの光変換素子６５７によって、４２０ｎｍより大きい波長を有する光に変換される。多くの場合、光の（１つまたは複数の）第２の部分または（１つまたは複数の）成分７０４は、黄色光すなわち、波長５７０ｎｍと５９０ｎｍとの間の波長を有する光に変換される。すなわち、各発光素子６１２は、光を提供するように構成され、光の少なくとも第１の成分は、それぞれのＬＥＤ６５６によって提供され、４００ｎｍと４２０ｎｍの間の波長を有し、および光の少なくとも第２の成分は、それぞれのＬＥＤ６５７によって提供され、４２０ｎｍより大きい波長を有する。提供される光の（１つまたは複数の）第１の成分は、これも上述したように、最小積算放射照度を有し、最小積算放射照度は、少なくともこの例では、照明装置５０４の、任意の最も外側の発光面６６２上の任意の地点から１．５ｍにある、環境１００内の任意の露出面または遮蔽されていない地点から測定され、０．０１ｍＷ／ｃｍ2、０．０２ｍＷ／ｃｍ2、０．０５ｍＷ／ｃｍ2、０．１ｍＷ／ｃｍ2、０．１５ｍＷ／ｃｍ2、０．２０ｍＷ／ｃｍ2、０．２５ｍＷ／ｃｍ2、０．３０ｍＷ／ｃｍ2、または０．０１ｍＷ／ｃｍ2よりも大きい他の値に等しい。他の例では、最小積算放射照度は、環境１００内の、任意の最も外側の発光面６６２上の任意の地点、直下域、環境１００内の他の露出面または地点から、異なる距離で測定され得る。
【００６０】
同時に、照明器具６００、より具体的には、各発光素子６１２により提供または出力される光は、提供される光が、人間にとって、審美的に快い、または少なくとも不快でないような、上述した特性を有する白色光である。これは、光変換素子６５７、すなわち（１つまたは複数の）第２の成分によって提供される光が、ＬＥＤ６５６により放射され、変調せずに光変換素子６５７を通過する消毒光、すなわち第１の成分を補完するためである。
【００６１】
照明器具５００と同様に、照明器具６００は、ローカル制御装置６１８からの命令または指示に基づいて、または応じて、光を提供または出力し得る。これらの命令または指示は、人感センサによって取得される占有データおよび／もしくは外光センサによって取得される外光データに基づいてまたは応じて、ならびに／または（たとえば、クライアント装置７０介して）照明器具６００のユーザから、および／もしくはサーバ６６から受信する命令もしくは指示に基づいてまたは応じて、生成されてもよい。したがって、照明器具６００は、人感センサによって取得される使用データ、外光センサによって取得される外光データ、および／または他の命令または指示（たとえば、タイミング設定）に応じて光を提供してもよい。
【００６２】
図１１Ａは、本明細書において説明される照明装置１０４、２００、５００、６００のいずれか１つの形態をとる照明装置１１００により出力される放射パワーの分布の一例を示す。図１１Ａに示すように、中心軸１１０４における放射測定パワーおよびライン１１０８上の放射測定パワーが、照明装置１１００から等しい距離で測定される限り、放射測定パワーは、照明装置１００からの光分布の中心軸１１０４に沿った最大値であり、中心軸１１０４から角度θで配向されるライン１１０８に沿った放射パワーは、最大放射パワー値の５０％に等しい。この例におけるライン１１０８は、中心軸１１０４から２０度または３０度に等しい角度θで配向されるが、他の例では、異なる角度θで配向されてもよい。
【００６３】
本明細書で説明される照明装置１０４、２００、５００、６００、１１００のうちの１つのような照明装置が、与えられる用途に応じ、任意の数の異なる方法で、環境１００内または環境１００全体にわたって光を分散させ得る。照明装置は、たとえば、図１１Ｂ〜１１Ｅに示すように、ランバート型の分布１１２０、非対称の分布１１４０、カットオフを有するダウンライトの分布１１６０、または直接・間接の分布１１８０を利用し得る。
【００６４】
図１１Ｂに示されるランバートの分布プロット１１２０は、水平線からの頂角αの関数として、照明装置からの光出力の強度の大きさＭを示す二次元極座標グラフの形態をとる。図１１Ｂに示すように、ランバートの分布プロット１１２０は、水平角度０〜１８０度に亘り垂直面に沿って測定される第１の光分布１１２４、水平角度９０〜２７０度に亘り垂直面に沿って測定される第２の光分布１１２８、および水平角度１８０〜０度に亘り垂直面に沿って測定される第３の光分布１１３２を含む。第１、第２、および第３の光分布１１２４、１１２８、１１３２のそれぞれによって示されるように、最大の大きさの頂角（vertical angle）αに対応する主ビーム角度が０度に等しいように、頂角αが、０度に等しい（すなわち最下点）とき、光の強度の大きさＭは、その最大値（この例では、５２４０カンデラ）を示す。そして、頂角αが０度から９０度へと移動するにつれて、大きさＭは減少する。
【００６５】
図１１Ｃに示される非対称の分布プロット１１４０は、同様に、水平線からの頂角αの関数として、照明装置からの光出力の強度の大きさＭを示す二次元極座標グラフの形態をとる。図１１Ｃに示すように、非対称の分布プロット１１４０は、水平角度０〜１８０度に亘り垂直面に沿って測定される第１の光分布１１４４、および水平角度９０〜２７０度に亘り垂直面に沿って測定される第２の光分布１１４８を含む。第１および第２の光分布１１４４、１１４８によって示されるように、最大の大きさの頂角αに対応する主ビーム角度が２５度に等しいように、頂角αが、２５度に等しいとき、光は照明装置の一方の側に非対称的に分布され、光の強度の大きさＭはその最大値（この例では、２３０７カンデラ）を示している。このような分布は、たとえば、照明装置からの光の主光線が、手術台に向けられるように、手術台を特徴とする環境１００において利用されてもよい。
【００６６】
図１１Ｄに示されるカットオフを有するダウンライトの分布プロット１１６０もまた、水平線からの頂角αの関数として、入り込んだ所にある照明装置からの光出力の強度の大きさＭを示す二次元極座標グラフの形態をとる。図１１Ｄに示すように、分布プロット１１６０は、水平角度０〜１８０度に亘り垂直面に沿って測定される第１の光分布１１６４、水平角度９０〜２７０度に亘り垂直面に沿って測定される第２の光分布１１６８、および２０度の頂角αに亘り水平円錐形に沿って測定される第３の光分布１１７２を含む。第１、第２、および第３の光分布１１６４、１１６８、および１１７２により図示されるように、水平角が６０度であり、頂角αが２０度に等しく、４５度より大きい角度で、極小の光の強度（すなわち、光が遮断される）が存在する場合、光の強度の大きさＭは、その最大値（この例では、２５８６カンデラ）を示す。したがって、最大の大きさの頂角αに対応する主ビーム角度は、２０度に等しく、この分布を、たとえば、オフセンタであるが対称性の分布が望ましいときの適用に適切なものにしている。この種類の分布は、概して、地面上の光の比較的均一な投影を維持しながら、隣り合う照明装置間のより大きな間隔を可能にする。
【００６７】
図１１Ｅに示される直接・関節分布プロット１１８０もまた、水平線からの頂角αの関数として、照明装置からの光出力の強度の大きさＭを示す二次元極座標グラフの形態をとる。図１１Ｅに示すように、分布プロット１１８０は、水平角度９０〜２７０度に亘り垂直面に沿って測定される第１の光分布１１８４、および水平角度１８０〜０度に亘り垂直面に沿って測定される第２の光分布１１８８を含む。第１および第２の光分布１１８４、１１６８に示されるように、水平角が９０度であり、頂角αが１１７．５度に等しく、光の大部分（たとえば、約８０％）が上方向に向けられる場合、（光強度が９０度と２７０度との間の頂角αでより大きいという事実によって立証されるように）光強度の大きさＭはその最大値（この例では、１３９８カンデラ）を示す。したがって、最大の大きさの頂角αに対応する主ビーム角度は、１１７．５度に等しく、この分布を、たとえば、照明装置が天井から吊り下げられ、環境に光を提供するために天井を利用し、そして、低グレアの光を環境に提供する場合の適用に適切なものにしている。
【００６８】
図１１Ｆ〜１１Ｉのそれぞれは、ランバート型の分布１１２０、非対称の分布１１４０、カットオフを有するダウンライトの分布１１６０、または直接・間接の分布１１８０（ルーメンで測定される）光束の詳細を示すチャートを図示する。より具体的には、各チャートは、頂角αの様々な領域に対するそれぞれの分布１１２０、１１４０、１１６０、および１１８０の立体角にわたっての光度の積算（すなわち、光束）の詳細を示す。
【００６９】
図１２は、ある期間（たとえば、２４時間）に亘って、ある容積空間（たとえば、環境１００）全体において、危険な病原体（たとえば、ＭＲＳＡバクテリア）を不活性化するのに十分な光の光線量を提供する１つの方法１２００のフローチャートを示す。方法１２００は、図示される順序で実施されるが、任意の数の異なる順序で、または任意の数の異なる順序に従って実施されてもよい。方法１２００は、追加の、より少ない、または異なる動作を含んでもよい。たとえば、動作１２０５で受信する第１、第２、第３、第４のデータは、動作１２２０より前の別々の時に受信してもよく、別々の時にデータを受信することが、別々の動作を構成している。別の例として、動作１２２０が実行される前に、動作１２０５、１２１０、および１２１５が数回繰り返されてもよい。
【００７０】
方法１２００は、容積空間に関連するデータを受信したときに開始される（動作１２０５）。データは、（ｉ）容積空間に望ましい照度レベルに関連する第１のデータ、（ｉｉ）所定の期間に亘る容積空間の推定される使用期間を示す第２のデータ、（ｉｉｉ）容積空間の長さ、幅、および／もしくは高さを示す第３のデータ（長さ、幅、および／もしくは高さのうちの１つは、デフォルト値であってもよく、提供される必要がない）、（ｉｖ）容積空間のための好ましいＣＣＴを示す第４のデータを含んでもよい。この例では、第１、第２、第３、第４のデータの受信が同時であると説明されているが、これらのデータは異なる時間に受信し得る。所望の照度レベルは、用途および容積空間の大きさに応じて変化するが、たとえば、４０〜６０ｆｃ、１００〜１２５ｆｃ、２００〜３００ｆｃ、もしくは他の値、または値の範囲であってもよい。所定の期間にわたる容積空間の推定使用期間は、概して、容積空間が占有される１日あたりの時間の量に関連する。これは、所望の照度レベルと同様に、用途に応じて変化し、４時間、６時間、８時間、１２時間、または他の期間であってもよい。容積空間のための好ましいＣＣＴもまた、与えられる用途に応じて変化するが、たとえば、約１５００Ｋと７０００Ｋの間の範囲、より詳細には約１８００Ｋと５０００Ｋの間の範囲であってもよい。
【００７１】
方法１２００は、容積空間に設置される１つまたは複数の照明器具の配置を決定すること（動作１２１０）を含む。この決定は、図示される方法において、第１のデータに基づいて行われるが、第１のデータ、第２のデータ、第３のデータおよび／または第４のデータの組み合わせに基づいて決定されてもよい。１つまたは複数の照明器具の配置は、概して、本明細書に記載される照明器具、たとえば、照明器具２００、照明器具５００、照明器具６００、および／または１つまたは複数の他の照明器具（たとえば、消毒光のみを放射するように構成される１つまたは複数の照明器具）のいずれかの１つまたは複数を含む。したがって、１つまたは複数の照明器具の配置は、３８０ｎｍと４２０ｎｍの間、より詳細には、４００ｎｍと４２０ｎｍの間の波長を有する消毒光を少なくとも部分的に提供または出力（たとえば、放射）するように構成される）。場合によっては、１つまたは複数の照明器具は、照明器具の組み合わされるまたは混合される光出力が、そうでない場合よりも、より審美的に快いまたは不快でないように、４２０ｎｍより大きい波長を有する光を少なくとも部分的に提供するように構成されてもよい。１つまたは複数の照明器具の配置は、また、たとえば、１つまたは複数のリフレクタ、１つまたは複数のデフューザ、および照明器具の内部または外部に配置される１つまたは複数のレンズなどの、消毒光を導くための手段を含んでもよい。１つまたは複数の照明器具の配置は、任意に、１つまたは複数の照明器具内の感熱部品が保護され得るように、１つまたは複数の照明器具により発生する熱を管理する手段を含んでもよい。熱を管理するための手段は、たとえば、１つまたは複数のヒートシンクの形態をとってもよく、および／または２つの照明装置を利用する照明器具が用いられ、使用時に発光装置用の２つの回路が同時に通電されることを防止する場合、スイッチング回路の利用を含んでもよい。場合によっては、（１つまたは複数の）照明器具の過熱を防止するために、熱遮断器が追加されてもよい。
【００７２】
方法１２００はまた、期間中の容積空間内の、任意の露出面（すなわち、非遮蔽面）において所望のパワー密度を生成するように、１つまたは複数の照明器具を介して容積空間に適用される合計放射パワーを決定すること（動作１２１５）を含む。決定は、図示される方法においては、第２のデータおよび第３のデータに基づいて行われるが、第１のデータ、第２のデータ、第３のデータおよび／または第４のデータの組み合わせに基づいて決定されてもよい。上述したように、所望のパワー密度は、最小積算放射照度であるか、または最小積算放射照度を含んでもよく、最小積算放射照度は、０．０１ｍＷ／ｃｍ2、０．０２ｍＷ／ｃｍ2、０．０５ｍＷ／ｃｍ2、０．１ｍＷ／ｃｍ2、０．１５ｍＷ／ｃｍ2、０．２０ｍＷ／ｃｍ2、０．２５ｍＷ／ｃｍ2、０．３０ｍＷ／ｃｍ2、または０．０１ｍＷ／ｃｍ2よりも大きい他の値に等しい。最小積算放射照度は、容積空間内の任意の遮蔽されていない地点、照明装置の任意の最も外側の発光面、直下域、または容積空間内の他の地点もしくは表面から１．５ｍの距離で測定されてもよい。このようにして、容積空間内の危険な病原体が効果的に不活性化される。
【００７３】
一例では、容積空間に適用される合計放射パワーは、以下の式に従って求めることができる。合計放射パワー＝（最小積算放射照度（ｍＷ／ｃｍ2）×持続時間（少数表示の日数））容積空間の容積（ｆｔ3）であり、持続時間は、容積空間が占有される１日あたりの時間の量を表し、容積空間の容積は、この容積空間の長さ、高さ、および幅を乗算して算出される。
【００７４】
いくつかの場合、たとえば、１つまたは複数の照明器具の配置が、異なるモードで動作可能な照明器具５００のような、１つまたは複数の照明器具を含む場合、合計放射パワーは各モードに対して算出され、合計され、容積空間に適用される合計放射パワーが生成される。
【００７５】
容積空間に適用される合計放射パワーが決定されると、容積空間に対する、決定された放射パワーの合計が危険な病原体を不活性化するのに十分であることを検証するために、決定された合計は、実際に消毒レベルが測定されている他の適用例（すなわち、他の容積空間）と比較されてもよい。
【００７６】
次に、方法１２００は、照明器具の決定された配置を容積空間に設置すること（動作１２２０）を含み、それは、決定された合計放射パワーが、１つまたは複数の照明器具を介して容積空間に適用され得るように、任意の既知の方法で行うことができる。方法１２００は、任意に、決定された合計放射パワーを、１つまたは複数の照明器具を介して容積空間に適用する動作（動作（１２２５））を含む。決定された合計放射パワーの適用は、光増感剤または反応性薬剤のいずれも使用せずに行われ、期間中における容積空間内で所望のパワー密度を生成する。そして、容積空間内の危険な病原体は、指定の期間に亘って、特別に配置され構成される照明器具によって不活性化される。
【００７７】
場合によっては、動作１２２５は、または複数の照明器具を制御することを含んでもよく、それは、照明器具に通信可能に接続される１つまたは複数の制御装置（たとえば、制御装置１２０、制御装置５２０）を介して行われてもよい。より具体的には、消毒光の波長、強度、帯域幅、または他のいくつかのパラメータ（たとえば、波長４００ｎｍと４２０ｎｍの間の波長を有する光）が制御または調節され得る。これは、たとえば、１つまたは複数の制御装置が、１つまたは複数のセンサを介して、消毒光の波長、強度、帯域幅、または他のパラメータが、逸脱したことを検出すると、１つまたは複数の照明器具から離れて位置する中央制御装置から受信する制御信号に応じて、および／または照明器具のユーザまたはオペレータから受信する（たとえば、クライアント装置７０の１つを介して入力される）入力に応じて、自動的に行われてもよい。一例では、１つまたは複数の照明器具は、（たとえば、写真制御装置を介して）受信および／または検出される新しいまたは変更された、第１、第２、第３、および／または第４のデータに応じて制御され得る。いずれの場合であっても、このような制御または調節は、１つまたは複数の照明器具が、容積空間全体に亘って危険な病原体を効果的に不活性化し続けるように、所望の電力強度を維持するのに役立つ。
【００７８】
容積空間は、所与の用途に応じてサイズが異なってもよいことが理解されるであろう。一例として、容積空間は、２５，０００ｆｔ3（７０７．９２ｍ3）を含むまでの値の容積を有してもよい。いくつかの場合には、容積空間は、１つまたは複数の照明器具の平面と、容積空間の床面とによって部分的に画定または境界決めされでもよい。一例として、容積空間は、１つまたは複数の照明器具の下０．５ｍと、容積空間の床面の上２４ｉｎ（６０．９６ｃｍ）との間に延在する領域、または１つまたは複数の照明器具の平面の下１．５ｍと、容積空間の床面の上２４ｉｎ（６０．９６ｃｍ）との間に延在する領域によって部分的に画定されてもよい。容積空間は、代替的に、１つまたは複数の照明器具の平面および／または容積空間の床面から異なる距離の領域によって画定されてもよい。
【００７９】
最後に、方法１２００の動作１２０５、１２１０、１２１５、１２２０、および１２２５が、サーバ６６、クライアント装置７０の１つ、他の機械または装置、ユーザ、技術者、容積空間に関連を有する管理者もしくはオペレータなどの人間、またはそれらの組み合わせによって実施されてもよいことが理解される。
【００８０】
図１３は、例示的な制御装置１３２５を示し、本明細書で説明される機能性のいくつかは、制御装置１３２５を介して実施されてもよい。いくつかの変形例では、制御装置１３２５は、図１に関連して説明したサーバ６６、図２に関連して説明したローカル制御装置１２０、図２に関して説明したドージングフィードバックシステム１２４、図９Ｄに関連して説明したローカル制御装置５２０、ローカル制御装置６１８、または本明細書において説明する他の任意の制御部品（たとえば、制御装置）であってもよい。概して、制御装置１３２５は、ハードウェアおよびソフトウェア構成要素の任意の組み合わせを含む、専用の機械、装置、制御装置などである。
【００８１】
制御装置１３２５は、記憶装置１３９５に加えて、プロセッサ１３７９または他の類似の種類の制御装置モジュールまたはマイクロ制御装置を含んでもよい。記憶装置１３９５は、本明細書で説明されるような機能を容易にすることが可能であるオペレーティングシステム１３９７を格納してもよい。プロセッサ１３７９は、オペレーティングシステム１３９７および一組のアプリケーション１３８３を実行するために、記憶装置１３９５とインターフェースで接続してもよい。（記憶装置１３９５が格納してもよい）一組のアプリケーション１３８３は、様々な照明設定を実施するための命令または指示を生成し、その命令／指示を一組の照明装置に送信するように構成される照明設定アプリケーション１３８１を含んでもよい。一組のアプリケーション１３８３は、１つまたは複数の他のアプリケーション１３８２を含んでもよいことが理解される。
【００８２】
概して、記憶装置１３９５は、読み出し専用メモリ（ＲＯＭ）、電子プログラマブル読み出し専用メモリ（ＥＰＲＯＭ）、ランダムアクセスメモリ（ＲＡＭ）、消去可能電子プログラマブル読み出し専用メモリ（ＥＥＰＲＯＭ）、および／または他のハードドライブ、フラッシュメモリ、マイクロＳＤカードなどの、揮発性および／または不揮発性の、固定および／または取外し可能メモリのうちの１つまたは複数の形態を含んでもよい。
【００８３】
制御装置１３２５は、（たとえば、１つまたは複数のネットワーク７４の形態をとってもよい）１つまたは複数のネットワーク１３１６を介してデータを通信するように、１つまたは複数の外部ポート１３８５とインターフェースで接続するように構成される通信モジュール１３９３をさらに含んでもよい。たとえば、通信モジュール１３９３は、制御装置１３２５を一組の照明装置および／または一組のブリッジ装置に接続するためのＷＬＡＮを確立するために外部ポート１３８５を利用してもよい。いくつかの実施形態によれば、通信モジュール１３９３は、ＩＥＥＥ規格、３ＧＰＰ規格、または他の規格に従って機能し、１つまたは複数の外部ポート１３８５を介してデータを受信および送信するように構成される、１つまたは複数のトランシーバを含んでもよい。より具体的には、通信モジュール１３９３は、制御装置１３２５を、ＷＡＮ、ＰＡＮ、および／またはＬＡＮに接続するように構成される、１つまたは複数の無線または有線ＷＡＮ、ＰＡＮ、および／またはＬＡＮトランシーバを含んでもよい。
【００８４】
制御装置１３２５は、ユーザに情報を提示し、および／またはユーザからの入力を受信するように構成されるユーザインターフェース１３８７をさらに含んでもよい。図１３に示すように、ユーザインターフェース１３８７は、表示画面１３９１およびＩ／Ｏ部品１３８９（たとえば、静電容量または抵抗式接触感知入力パネル、キー、ボタン、ライト、ＬＥＤ、カーソル式制御装置、触覚装置など）を含む。
【００８５】
概して、一実施形態によるコンピュータプログラム製品は、内部にコンピュータで読み取り可能なプログラムコードが具現化されている、コンピュータで使用可能な記憶媒体（たとえば、標準ランダムアクセスメモリ（ＲＡＭ）、光ディスク、ユニバーサルシリアルバス（ＵＳＢ）ドライブなど）を含み、コンピュータで読み取り可能なプログラムコードは、本明細書で説明されるような機能を容易にするために、（たとえば、オペレーティングシステム１３９７と関連して動作する）プロセッサ１３７９によって実行されるように適合される。この点に関して、プログラムコードは、任意の所望の言語で実施してもよく、機械コード、アセンブリコード、バイトコード、解読可能なソースコードなど（たとえば、Ｃ、Ｃ＋＋、Ｊａｖａ（登録商標）、Ａｃｔｉｏｎｓｃｒｉｐｔ、Ｏｂｊｅｃｔｉｖｅ−Ｃ、Ｊａｖａｓｃｒｉｐｔ、ＣＳＳ、ＸＭＬなど）として実施されてもよい。
【００８６】
本明細書全体を通して、複数の例は、単一の例として説明される構成要素、動作、または構造を実装してもよい。１つまたは複数の方法の個別の動作は別個の動作として図示され、説明されるが、個別の動作のうちの１つまたは複数は、同時に実行されてもよく、また、図示される順序で動作が実行される必要はない。例示的な構成において、別個の構成要素として提示される構造および機能は、組み合わされた構造または構成要素として実施されてもよい。同様に、単一の構成要素として提示される構造および機能は、別個の構成要素として実施されてもよい。これらおよび他の変形、修正、追加、および改良は、本明細書の主題の範囲内にある。
【００８７】
本明細書で使用されているように、「一実施形態」または「実施形態」に言及することは、実施形態に関連して説明される特定の要素、特徴、構造、または特性が、少なくとも１つの実施形態に含まれることを意味する。本明細書中の様々な場所における「一実施形態における」という語句の出現は、必ずしも同一の実施形態を参照するものではない。
【００８８】
いくつかの実施形態は、それらの派生例と共に「連結される」および「接続される」という表現を用いて記述されてもよい。たとえば、いくつかの実施形態は、「連結される」という用語を使用して、２つ以上の要素が物理的または電気的に直接接触していることを示すように記述されてもよい。しかし、「連結される」という用語は、また、２つ以上の要素が互いに直接接触していないが、それでも互いに協働または相互作用することも意味してもよい。実施形態は、この文脈に限定されない。
【００８９】
本明細書で使用されるように、「備える」、「備えている」、「含む」、「含んでいる」、「有する」、「有している」という用語、またはそれらの他の任意の変形は、非排他的な包含を含めることが意図される。たとえば、ある要素のリストを含むプロセス、方法、物品、装置は、必ずしもこれらの要素だけに限定されるものではなく、明示的に列挙されていないか、またはそのようなプロセス、方法、物品、または装置に固有のものである他の要素を含んでもよい。また、特に断らない限り、「または」とは、排他的なものではなく、包括的なものをいう。たとえば、条件ＡまたはＢは、以下の、Ａは真（または存在する）でありＢは偽（または存在しない）、Ａは偽（または存在しない）でありＢは真（または存在する）、ならびにＡおよびＢは真（または存在する）、のいずれか１つにより満たされる。
【００９０】
さらに、「ａ」または「ａｎ」の使用は、本明細書の実施形態の要素および構成要素を記述するために用いられる。これは単に、便宜上のものであり、説明の一般的な意味を与えるものである。この記述および請求項は、１つ、または少なくとも１つを含むとして読まれるべきであり、単数は、また、それがそうでないことを意味することが明らかでない限り、複数を含む。
【００９１】
この詳細な説明は、例として解釈されるべきであり、可能なすべての実施形態を説明することは、不可能でない場合においても非現実的であるため、あらゆる可能な実施形態を記述するものではない。現在の技術または本出願の出願日の後に開発される技術を使用して、多数の代替の実施形態を実施することができる。
【図１】
0006748712.tif 000002
【図２】
0006748712.tif 000003
【図３Ａ】
0006748712.tif 000004
【図３Ｂ】
0006748712.tif 000005
【図４Ａ】
0006748712.tif 000006
【図４Ｂ】
0006748712.tif 000007
【図４Ｃ】
0006748712.tif 000008
【図４Ｄ】
0006748712.tif 000009
【図５Ａ】
0006748712.tif 000010
【図５Ｂ】
0006748712.tif 000011
【図６Ａ】
0006748712.tif 000012
【図６Ｂ】
0006748712.tif 000013
【図７】
0006748712.tif 000014
【図８】
0006748712.tif 000015
【図９Ａ】
0006748712.tif 000016
【図９Ｂ】
0006748712.tif 000017
【図９Ｃ】
0006748712.tif 000018
【図９Ｄ】
0006748712.tif 000019
【図９Ｅ】
0006748712.tif 000020
【図９Ｆ】
0006748712.tif 000021
【図９Ｇ】
0006748712.tif 000022
【図１０Ａ】
0006748712.tif 000023
【図１０Ｂ】
0006748712.tif 000024
【図１０Ｃ】
0006748712.tif 000025
【図１０Ｄ】
0006748712.tif 000026
【図１１Ａ】
0006748712.tif 000027
【図１１Ｂ】
0006748712.tif 000028
【図１１Ｃ】
0006748712.tif 000029
【図１１Ｄ】
0006748712.tif 000030
【図１１Ｅ】
0006748712.tif 000031
【図１１Ｆ】
0006748712.tif 000032
【図１１Ｇ】
0006748712.tif 000033
【図１１Ｈ】
0006748712.tif 000034
【図１１Ｉ】
0006748712.tif 000035
【図１２】
0006748712.tif 000036
【図１３】
0006748712.tif 000037